(57)【特許請求の範囲】
【請求項１】
下記一般式（２）で表されるアゾ染料を少なくとも一種と、下記一般式（Ｂ）で表されるベタイン系界面活性剤及び下記一般式（ＩＩＩ）で表されるノニオン性界面活性剤の中から選ばれる界面活性剤を少なくとも一種とを含有することを特徴とするインクジェット記録用インク。
【化１０１】
0005144895.tif 000082
【化１０２】
0005144895.tif 000083
【化１０３】
0005144895.tif 000084
一般式（２）中、Ｚ1は、ハメットの置換基定数σｐ値が０．２０以上の電子吸引性基を表す。Ｚ2は、水素原子、脂肪族基、芳香族基または複素環基を表す。Ｒ3、Ｒ4は、各々独立に、水素原子、脂肪族基、芳香族基、複素環基、アシル基、アルコキシカルボニル基、アリールオキシカルボニル基、カルバモイル基、アルキルスルホニル基、アリールスルホニル基、またはスルファモイル基を表し、Ｒ３及びＲ４は、各々独立に、メチル基、エチル基、イソプロピル基、メトキシ基、塩素原子又はスルホ基を置換基として有してもよい。Ｒ1及びＲ2は、各々独立に、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、複素環オキシ基、アルコキシカルボニルオキシ基、アリールオキシカルボニルオキシ基、アルキルアミノ基、アリールアミノ基、複素環アミノ基、アシルアミノ基、ウレイド基、スルフアモイルアミノ基、アルコキシカルボニルアミノ基、アリールオキシカルボニルアミノ基、アルキルもしくはアリールスルホニルアミノ基、アリールオキシカルボニルアミノ基、ニトロ基、アルキルもしくはアリールチオ基、アルキルもしくはアリールスルホニル基、アルキルもしくはアリールスルフィニル基、スルファモイル基、スルホ基、または複素環チオ基を表し、Ｒ1及びＲ2は、各々独立に、スルホ基又は下記の基を置換基として有してもよい。ａおよびｅはアルキル基を表すが、aおよびeのアルキル基を構成する炭素数の合計が３以上である。ｂ、ｃ、ｄは、各々独立にＲ1、Ｒ2と同義である。Ｑは、水素原子、脂肪族基、芳香族基または複素環基を表し、Ｑはスルホ基又は下記の基を置換基として有してもよい。但し、一般式（２）は、少なくとも一つのイオン性親水性基を有する。
【化１０４】
0005144895.tif 000085
一般式（Ｂ）中、ＲＳ４、ＲＳ５、ＲＳ６は各々独立して、アルキル基、アリール基またはヘテロ環基を表し、それぞれが互いに連結して環状構造を形成してもよい。ＲＳ７はカルボキシル基を含有するアルキル基またはスルホ基を含有するアルキル基を表す。
一般式（III）中、Ｒ31、Ｒ32はそれぞれ独立に炭素数１〜１８のアルキル基を表す。Ｒ33は水素原子、炭素数１〜６のアルキル基、フェニル基を表す。Ｘは水素原子、
【化１０５】
0005144895.tif 000086
を表し、Ｒ34、Ｒ35はそれぞれ独立に炭素数１〜１８のアルキル基を表す。Ｒ36は水素原
子、炭素数１〜６のアルキル基、フェニル基を表す。ｍ3、ｍ4はそれぞれエチレンオキシドの平均付加モル数を表し、ｍ3＋ｍ4は０〜１００である。
ここで、ｍ3＝０のときＲ33は水素原子を表し、ｍ4＝０のときＲ36は水素原子を表す。またＸが水素原子のときｍ3は１〜１００を表す。
【請求項２】
前記一般式（２）中、Ｚ１がシアノ基、ニトロ基、又はハロゲン原子であることを特徴とする、請求項１に記載のインクジェット記録用インク。
【請求項３】
前記一般式（２）中、Ｑはベンズオキサゾール環又はベンゾチアゾール環を表し、Ｑはスルホ基又は下記の基を置換基として有してもよいことを特徴とする、請求項１又は２に記載のインクジェット記録用インク。
【化１０６】
0005144895.tif 000087
【請求項４】
前記一般式（Ｂ）で表される化合物において、ＲＳ４、ＲＳ５、ＲＳ６は各々独立して、アルキル基を表し、ＲＳ７で表されるカルボキシル基を含有するアルキル基が−Ｌ−ＣＯＯ−（Ｌは連結基を表す）で表されることを特徴とする請求項１〜３のいずれか一項に記載のインクジェット記録用インク。
【請求項５】
前記一般式（Ｂ）で表される化合物において、置換基ＲＳ７中のＬがＣＨ（ＲＳ８）を表し、ＲＳ８は水素原子または炭素数８以上のアルキル基を表し、かつＲＳ４、ＲＳ５、ＲＳ６、ＲＳ８のいずれかが炭素数８以上のアルキル基であることを特徴とする請求項４に記載のインクジェット記録用インク。
【請求項６】
前記一般式（ＩＩＩ）で表されるノニオン性界面活性剤が下記一般式（III−１）で表される化合物であることを特徴とする請求項１〜５のいずれか一項に記載のインクジェット記録用インク。
【化１０７】
0005144895.tif 000088
一般式（III−１）中、Ｒ37、Ｒ38、Ｒ39及びＲ40はそれぞれ独立に炭素数１〜６のアルキル基を表し、ｍ31とｍ41はそれぞれエチレンオキシドの平均付加モル数を表し、ｍ31＋ｍ41は０〜４０である。
【請求項７】
請求項１〜６のいずれか一項に記載のインクジェット記録用インクを用いることを特徴とするインクジェット記録方法。
【請求項８】
支持体上に白色無機顔料粒子を含有する受像層を有する受像材料に請求項１〜６のいずれか一項に記載のインクジェット記録用インクのインク滴を記録信号に応じて受像材料上に吐出させて画像を記録することを特徴とするインクジェット記録方法。
【請求項９】
請求項１〜６のいずれか一項に記載のインクジェット記録用インクを含むことを特徴とするインクジェット記録用インクセット。
【発明の詳細な説明】
【技術分野】
【０００１】
本発明は、インクジェット記録用インク及びそれを含むインクセット、並びにそれを用いる記録方法に関するものであり、とくに記録画像の保存性が優れ、色相や色濃度などの画像品質が高く、インクの吐出安定性にも優れたインクジェット記録用マゼンタインクに関する。
【背景技術】
【０００２】
近年、コンピューターの普及に伴いインクジェットプリンターがオフィスだけでなく家庭で紙、フィルム、布等に印字・描画するために広く利用されている。
インクジェット記録方法には、ピエゾ素子により圧力を加えて液滴を吐出させる方式、熱によりインク中に気泡を発生させて液滴を吐出させる方式、超音波を用いた方式、あるいは静電力により液滴を吸引吐出させる方式がある。これらのインクジェット記録用インクとしては、水性インク、油性インク、あるいは固体（溶融型）インクが用いられる。
これらのインクのうち、水性インクは、製造・取り扱い性・臭気・安全性等の点を鼎立させ得る可能性の点では油性インクや固体（溶融型）インクよりは比較的優っているので、現用インクジェット記録用インクの主流となっている。
【０００３】
これらのインクジェット記録用インクに用いられる色素に対しては、溶剤（インク媒体）に対する溶解性が高いこと、高濃度記録が可能であること、色相が良好であること、光、熱、空気、水や薬品に対する堅牢性に優れていること、受像材料に対して定着性が良く滲みにくいこと、インクとしての保存性に優れていること、毒性がないこと、純度が高いこと、さらには、安価に入手できることが要求されている。しかしながら、上記の諸要件を高いレベルで満たす色素を捜し求めることは、極めて難しい。特に、色相が優れていることと堅牢であることとは多くの場合に相反することであり、マゼンタインク用の色材には、上記した諸要件を満たすものが得にくく、とりわけ良好なマゼンタ色相と酸化性雰囲気に耐える光堅牢性を両立させた色素を見出すことは困難が伴う。
したがって、既にインクジェット用として様々な染料や顔料が提案され、実際に使用されているにも係らず、未だに上記した全ての要求を満足する色素は、発見されていないのが現状である。
【０００４】
カラーインデックス（Ｃ.Ｉ.）番号が付与されているような、従来から良く知られている染料や顔料では、インクジェット記録用インクに要求される色相と堅牢性とを両立させることは難しい。
堅牢性を向上させる染料として下記の特許文献１に記載の芳香族アミンと５員複素環アミンから誘導されるアゾ染料が提案されている。しかし、これらの染料はイエロ−およびシアンの領域に好ましくない色相を有しているために、色再現性を悪化させる問題を有していた。
下記の特許文献２および特許文献３には、色相と光堅牢性の両立を目的としたインクジェット記録用インクが開示されている。しかし、各公報で用いている色素は、水溶性インクとして用いる場合には、水への溶解性が不十分である。また各公報に記載の色素をインクジェット用水溶性インクとして用いると、湿熱堅牢性にも問題が生じる。
【０００５】
これらの問題を解決する手段として、特許文献４に記載の改良されたマゼンタ色素とそれを用いたインクが提案されている。しかしながらこれらのインクジェット記録用インクでは、色再現性、出力画像の堅牢性のいずれも不十分であった。
さらに、写真画質用のインクジェット専用光沢紙に記録し、室内の壁面などに貼っておいた場合の画像の保存性が著しく悪い場合があることが判明した。本発明者はこの現象を、オゾン等、何らかの空気中の酸化性ガスによるものと推定している。また、ガラス製の額に入れる等の処置により空気の流れを遮断すると起こりにくくはなるもののそれでは使用条件が制約されてしまう。
この現象は、写真画質用のインクジェット専用光沢紙において特に顕著であり、写真画質が重要な特徴のひとつとなっている現在のインクジェット記録方式にとって大きな問題であった。
【０００６】
本願に関わる発明者らは、オゾン等の酸化性ガスに対して堅牢な色素を開発すべく、従来のフェノール、ナフトール、アニリン等のカプラーから脱却して、含窒素複素環化合物をカプラーとして使用するという考えに至った。特許文献５〜７に記載されているピラゾールジアゾ成分とピリジンカプラーからなるアゾ色素は、堅牢性がかなり改良されることが見出されており、特許文献８に記載の該アゾ色素を含むインク組成物では耐オゾン性、耐光性がかなり改良できることが見出されているが、いずれも十分に満足できるレベルには至っていない。
【０００７】
一方、前記のような水溶性染料を用いたインクジェット記録用インクは、前記利点を有する反面、印字した文字や画像に滲みを生じ易いという欠点をもたらしがちであり、とくに高湿度条件下において滲みが顕著に現れ、その解決が求められている。
［先行技術の特許文献の一覧表］
【特許文献１】特開昭５５−１６１８５６号公報
【特許文献２】特開昭６１−３６３６２号公報
【特許文献３】特開平２−２１２５６６号公報
【特許文献４】特表平１１−５０４９５８号公報
【特許文献５】特開２００５−３７１０７９号公報
【特許文献６】国際出願公開０２/８３６６２号パンフレット
【特許文献７】国際出願公開０２/８３７９５号パンフレット
【特許文献８】国際出願公開２００３/０６２３３０号パンフレット
【発明の開示】
【発明が解決しようとする課題】
【０００８】
本発明の目的は、前記従来技術の項で述べたインクジェット記録用インクが抱えている問題点を解決することであり、具体的には、耐候性に優れ、しかも高湿度の環境条件下でも記録画像の滲みが抑止されたインクジェット記録用マゼンタインクを提供することである。本発明は、望ましくは上記に加えてマゼンタインクとしての色相が確保され、吐出安定性が高く、かつ耐水性や画質面での欠点がないインクジェット記録用マゼンタインクを提供することを付加的な目的としている。
【課題を解決するための手段】
【０００９】
発明者らは、良好な色相と堅牢性の高い色素誘導体を詳細に検討したところ、従来知られていない特定の色素骨格を有する下記一般式（１）で表されるアゾ染料を特定の界面活性剤と組み合わせて使用することにより、上記目的を達成できることを見出すに至った。
即ち、本発明は、下記のアゾ染料と特定の界面活性剤とを組み合わせて含有するインクジェット記録用インク、その製造方法、及び該インクを用いるインクジェット記録方法によって上記目的が達成される。
〔１〕
下記一般式（２）で表されるアゾ染料を少なくとも一種と、下記一般式（Ｂ）で表されるベタイン系界面活性剤及び下記一般式（ＩＩＩ）で表されるノニオン性界面活性剤の中から選ばれる界面活性剤を少なくとも一種とを含有することを特徴とするインクジェット記録用インク。
【化１０１】
0005144895.tif 000002
【化１０２】
0005144895.tif 000003
【化１０３】
0005144895.tif 000004
一般式（２）中、Ｚ1は、ハメットの置換基定数σｐ値が０．２０以上の電子吸引性基を表す。Ｚ2は、水素原子、脂肪族基、芳香族基または複素環基を表す。Ｒ3、Ｒ4は、各々独立に、水素原子、脂肪族基、芳香族基、複素環基、アシル基、アルコキシカルボニル基、アリールオキシカルボニル基、カルバモイル基、アルキルスルホニル基、アリールスルホニル基、またはスルファモイル基を表し、Ｒ３及びＲ４は、各々独立に、メチル基、エチル基、イソプロピル基、メトキシ基、塩素原子又はスルホ基を置換基として有してもよい。Ｒ1及びＲ2は、各々独立に、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、複素環オキシ基、アルコキシカルボニルオキシ基、アリールオキシカルボニルオキシ基、アルキルアミノ基、アリールアミノ基、複素環アミノ基、アシルアミノ基、ウレイド基、スルフアモイルアミノ基、アルコキシカルボニルアミノ基、アリールオキシカルボニルアミノ基、アルキルもしくはアリールスルホニルアミノ基、アリールオキシカルボニルアミノ基、ニトロ基、アルキルもしくはアリールチオ基、アルキルもしくはアリールスルホニル基、アルキルもしくはアリールスルフィニル基、スルファモイル基、スルホ基、または複素環チオ基を表し、Ｒ1及びＲ2は、各々独立に、スルホ基又は下記の基を置換基として有してもよい。ａおよびｅはアルキル基を表すが、aおよびeのアルキル基を構成する炭素数の合計が３以上である。ｂ、ｃ、ｄは、各々独立にＲ1、Ｒ2と同義である。Ｑは、水素原子、脂肪族基、芳香族基または複素環基を表し、Ｑはスルホ基又は下記の基を置換基として有してもよい。但し、一般式（２）は、少なくとも一つのイオン性親水性基を有する。
【化１０４】
0005144895.tif 000005
一般式（Ｂ）中、ＲＳ４、ＲＳ５、ＲＳ６は各々独立して、アルキル基、アリール基またはヘテロ環基を表し、それぞれが互いに連結して環状構造を形成してもよい。ＲＳ７はカルボキシル基を含有するアルキル基またはスルホ基を含有するアルキル基を表す。
一般式（III）中、Ｒ31、Ｒ32はそれぞれ独立に炭素数１〜１８のアルキル基を表す。Ｒ33は水素原子、炭素数１〜６のアルキル基、フェニル基を表す。Ｘは水素原子、
【化１０５】
0005144895.tif 000006
を表し、Ｒ34、Ｒ35はそれぞれ独立に炭素数１〜１８のアルキル基を表す。Ｒ36は水素原
子、炭素数１〜６のアルキル基、フェニル基を表す。ｍ3、ｍ4はそれぞれエチレンオキシドの平均付加モル数を表し、ｍ3＋ｍ4は０〜１００である。
ここで、ｍ3＝０のときＲ33は水素原子を表し、ｍ4＝０のときＲ36は水素原子を表す。またＸが水素原子のときｍ3は１〜１００を表す。
〔２〕
前記一般式（２）中、Ｚ１がシアノ基、ニトロ基、又はハロゲン原子であることを特徴とする、上記〔１〕に記載のインクジェット記録用インク。
〔３〕
前記一般式（２）中、Ｑはベンズオキサゾール環又はベンゾチアゾール環を表し、Ｑはスルホ基又は下記の基を置換基として有してもよいことを特徴とする、上記〔１〕又は〔２〕に記載のインクジェット記録用インク。
【化１０６】
0005144895.tif 000007
〔４〕
前記一般式（Ｂ）で表される化合物において、ＲＳ４、ＲＳ５、ＲＳ６は各々独立して、アルキル基を表し、ＲＳ７で表されるカルボキシル基を含有するアルキル基が−Ｌ−ＣＯＯ−（Ｌは連結基を表す）で表されることを特徴とする上記〔１〕〜〔３〕のいずれか一項に記載のインクジェット記録用インク。
〔５〕
前記一般式（Ｂ）で表される化合物において、置換基ＲＳ７中のＬがＣＨ（ＲＳ８）を表し、ＲＳ８は水素原子または炭素数８以上のアルキル基を表し、かつＲＳ４、ＲＳ５、ＲＳ６、ＲＳ８のいずれかが炭素数８以上のアルキル基であることを特徴とする上記〔４〕に記載のインクジェット記録用インク。
〔６〕
前記一般式（ＩＩＩ）で表されるノニオン性界面活性剤が下記一般式（III−１）で表される化合物であることを特徴とする上記〔１〕〜〔５〕のいずれか一項に記載のインクジェット記録用インク。
【化１０７】
0005144895.tif 000008
一般式（III−１）中、Ｒ37、Ｒ38、Ｒ39及びＲ40はそれぞれ独立に炭素数１〜６のアルキル基を表し、ｍ31とｍ41はそれぞれエチレンオキシドの平均付加モル数を表し、ｍ31＋ｍ41は０〜４０である。
〔７〕
上記〔１〕〜〔６〕のいずれか一項に記載のインクジェット記録用インクを用いることを特徴とするインクジェット記録方法。
〔８〕
支持体上に白色無機顔料粒子を含有する受像層を有する受像材料に上記〔１〕〜〔６〕のいずれか一項に記載のインクジェット記録用インクのインク滴を記録信号に応じて受像材料上に吐出させて画像を記録することを特徴とするインクジェット記録方法。
〔９〕
上記〔１〕〜〔６〕のいずれか一項に記載のインクジェット記録用インクを含むことを特徴とするインクジェット記録用インクセット。
本発明は、上記〔１〕〜〔９〕項に関するものであるが、その他の事項についても参考のために記載した。
１．下記一般式（１）で表されるアゾ染料を少なくとも一種と、ベタイン系界面活性剤及びノニオン性界面活性剤の中から選ばれる界面活性剤を少なくとも一種とを含有することを特徴とするインクジェット記録用インク。
【００１０】
【化１】
0005144895.tif 000009
【００１１】
上記一般式（１）において、Ａは、５員複素環基を表す。Ｂ1およびＢ2は、それぞれ-ＣＲ1＝及び-ＣＲ2＝を表すか、またはいずれか一方が窒素原子、他方が-ＣＲ1＝もしくは-ＣＲ2＝を表す。Ｒ3及びＲ4は、各々独立に、水素原子、脂肪族基、芳香族基、複素環基、アシル基、アルコキシカルボニル基、アリールオキシカルボニル基、カルバモイル基、アルキルスルホニル基、アリールスルホニル基、またはスルファモイル基を表わす。各基は更に置換基を有していてもよい。Ｒ1、Ｒ2は、各々独立に、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、複素環オキシ基、アルコキシカルボニルオキシ基、アリールオキシカルボニルオキシ基、アルキルアミノ基、アリールアミノ基、複素環アミノ基、アシルアミノ基、ウレイド基、スルフアモイルアミノ基、アルコキシカルボニルアミノ基、アリールオキシカルボニルアミノ基、アルキルもしくはアリールスルホニルアミノ基、アリールオキシカルボニルアミノ基、ニトロ基、アルキルもしくはアリールチオ基、アルキルもしくはアリールスルホニル基、アルキルもしくはアリールスルフィニル基、スルファモイル基、スルホ基、または複素環チオ基を表す。各基は更に置換されていてもよい。また、Ｒ1とＲ２、またはＲ3とＲ4が結合して５または６員環を形成してもよい。aおよびeは各々独立に、アルキル基、アルコキシ基またはハロゲン原子を表すが、aおよびe が共にアルキル基である時は、そのアルキル基を構成する炭素数の合計が３以上であって、それらはさらに置換されていてもよい。b、c、dは、各々独立にＲ1、Ｒ2と同義であり、aとb、または、eとdで互いに縮環していてもよい。但し、一般式（１）は、少なくとも一つのイオン性親水性基を有する。
２．アゾ染料が下記一般式（２）で表されることを特徴とする上記１に記載のインクジェット記録用インク。
【００１２】
【化２】
0005144895.tif 000010
【００１３】
一般式（２）において、Ｚ1は、ハメットの置換基定数σｐ値が０．２０以上の電子吸引性基を表す。Ｚ2は、水素原子、アシル基、脂肪族基、芳香族基または複素環基を表す。Ｒ1、Ｒ2、Ｒ3、Ｒ4、ａ、ｂ、ｃ、ｄ及びｅは、各々一般式（１）の場合と同義である。Ｑは、水素原子、脂肪族基、芳香族基または複素環基を表す。上記Ｚ1、Ｚ2及びＱの各基は、更に置換基を有していてもよい。但し、一般式（２）は、少なくとも一つのイオン性親水性基を有する。
３．ベタイン系界面活性剤がその分子中のカチオン性部位が第４級窒素原子であり、アニオン性の部位がカルボキシル基またはスルホ基であることを特徴とする上記１又は２に記載のインクジェット記録用インク。
４．該ベタイン系界面活性剤がイミダゾリウム構造のＮ位にカルボキシル基を含有するアルキル基又はスルホ基を含有するアルキル基が置換した化合物（化合物Ａと呼ぶ）、またはアンモニウム構造のＮ位にカルボキシル基を含有するアルキル基又はスルホ基を含有するアルキル基が置換した化合物（化合物Ｂと呼ぶ）であることを特徴とする上記１〜３のいずれかに記載のインクジェット記録用インク。
５．該化合物Ａが一般式（Ａ）で表される化合物であることを特徴とする上記４に記載のインクジェット記録用インク。
【００１４】
【化３】
0005144895.tif 000011
【００１５】
一般式（Ａ）中、ＲＳ１、ＲＳ２はそれぞれアルキル基を表し、ＲＳ３はカルボキシル基を含有するアルキル基またはスルホ基含有アルキル基を表す。
６．該化合物Ｂが一般式（Ｂ）で表される化合物であることを特徴とする上記４に記載のインクジェット記録用インク。
【００１６】
【化４】
0005144895.tif 000012
【００１７】
一般式（Ｂ）中、ＲＳ４、ＲＳ５、ＲＳ６は各々独立して、アルキル基、アリール基またはヘテロ環基を表し、それぞれが互いに連結して環状構造を形成してもよい。ＲＳ７はカルボキシル基を含有するアルキル基またはスルホ基を含有するアルキル基を表す。
【００１８】
７．一般式（Ｂ）で表される化合物において、ＲＳ４、ＲＳ５、ＲＳ６は各々独立して、アルキル基を表し、ＲＳ７で表されるカルボキシル基を含有するアルキル基が−Ｌ−ＣＯＯ−（Ｌは連結基を表す）で表されることを特徴とする上記６に記載のインクジェット記録用インク。
８．一般式（Ｂ）で表される化合物において、置換基ＲＳ７中のＬがＣＨ（ＲＳ８）を表し、ＲＳ８は水素原子または炭素数８以上のアルキル基を表し、かつＲＳ４、ＲＳ５、ＲＳ６、ＲＳ８のいずれかが炭素数８以上のアルキル基であることを特徴とする上記６又は７に記載のインクジェット記録用インク。
９．該ベタイン系界面活性剤が１分子中に２つ以上のカルボン酸基及び／又はその塩を有することを特徴とする上記１又は２に記載のインクジェット記録用インク。
１０．前記１分子中に２つ以上のカルボン酸基及び／又はその塩を有する界面活性剤が、アルキルイミノジ酢酸及び／又はその塩、アルキルイミノジプロピオン酸及び／又はその塩、アルキルニトリルトリ酢酸及び／又はその塩、アルキルイミノトリプロピオン酸及び／又はその塩であることを特徴とする上記１、２又は９に記載のインクジェット記録用インク。
１１．ノニオン性界面活性剤が下記一般式（Ｉ）または一般式（II）で表されるポリオキシエチレン化合物であることを特徴とする上記１又は２に記載のインクジェット記録用インク。
【００１９】
【化５】
0005144895.tif 000013
【００２０】
一般式（Ｉ）中、Ｒ21は炭素数５〜４０のアルキル基を表す。ｍ1はエチレンオキシドの平均付加モル数を表し、２〜４０である。
【００２１】
【化６】
0005144895.tif 000014
【００２２】
一般式（II）中、Ｒ24は炭素数５〜４０のアルキル基を表す。ｍ2はエチレンオキシドの平均付加モル数を表し、２〜４０である。
１２．該ノニオン性界面活性剤が下記一般式（Ｉ−１）で表される化合物であることを特徴とする上記１１に記載のインクジェット記録用インク。
【００２３】
【化７】
0005144895.tif 000015
【００２４】
一般式（Ｉ−１）中、Ｒ22、Ｒ23は各々炭素数４〜１０の飽和炭化水素を表し、Ｒ22、Ｒ23の炭素数の合計が８〜１８である。ｍ11はエチレンオキシドの平均付加モル数を表し、３〜２０である。
１３．該ノニオン性界面活性剤が下記一般式（II−１）で表される化合物であることを特徴とする上記１１に記載のインクジェット記録用インク。
【００２５】
【化８】
0005144895.tif 000016
【００２６】
一般式（II−１）中、Ｒ25、Ｒ26は各々炭素数２〜２０の飽和炭化水素であり、ｍ21はエチレンオキシドの平均付加モル数を表し、２〜４０である。
１４．ノニオン性界面活性剤が下記一般式（III）で表される化合物であることを特徴とする上記１又は２に記載のインクジェット記録用インク。
【００２７】
【化９】
0005144895.tif 000017
【００２８】
一般式（III）中、Ｒ31、Ｒ32はそれぞれ独立に炭素数１〜１８のアルキル基を表す。
Ｒ33は水素原子、炭素数１〜６のアルキル基、フェニル基を表す。Ｘは水素原子、
【００２９】
【化１０】
0005144895.tif 000018
【００３０】
を表し、Ｒ34、Ｒ35はそれぞれ独立に炭素数１〜１８のアルキル基を表す。Ｒ36は水素原子、炭素数１〜６のアルキル基、フェニル基を表す。ｍ3、ｍ4はそれぞれエチレンオキシドの平均付加モル数を表し、ｍ3＋ｍ4は０〜１００である。
ここで、ｍ3＝０のときＲ33は水素原子を表し、ｍ4＝０のときＲ36は水素原子を表す。またＸが水素原子のときｍ3は１〜１００を表す。
１５．該ノニオン性界面活性剤が下記一般式（III−１）で表される化合物であることを特徴とする上記１４に記載のインクジェット記録用インク。
【００３１】
【化１１】
0005144895.tif 000019
【００３２】
一般式（III−１）中、Ｒ37、Ｒ38、Ｒ39及びＲ40はそれぞれ独立に炭素数１〜６のアルキル基を表し、ｍ31とｍ41はそれぞれエチレンオキシドの平均付加モル数を表し、ｍ31＋ｍ41は０〜４０である。
１６．上記１〜１５のいずれかに記載のインクジェット記録用インクを用いることを特徴とするインクジェット記録方法。
１７．支持体上に白色無機顔料粒子を含有する受像層を有する受像材料に上記１〜１５のいずれかに記載のインクジェット記録用インクのインク滴を記録信号に応じて受像材料上に吐出させて画像を記録することを特徴とするインクジェット記録方法。
１８．上記１〜１５のいずれかに記載のインクジェット記録用インクを含むことを特徴とするインクジェット記録用インクセット。
【発明の効果】
【００３３】
一般式（１）で表されるマゼンタ染料と特定のベタイン系及び／又はノニオン系界面活性剤をともに含有する本発明のインクジェット記録用インクは、環境中の活性ガス（オゾン等）に対してアゾ染料の分解が抑制されて耐候性に優れ、しかも高湿度の環境条件下でも記録画像の滲みが抑止される。さらに上記に加えてマゼンタインクとしての色相が確保され、吐出安定性が高く、かつ耐水性や画質面での欠点がないインクジェット記録用マゼンタインクを提供することができる。
【発明を実施するための最良の形態】
【００３４】
以下、本発明の具体的実施形態について詳細に説明する。
インクジェット記録用インクによって描画された画像が、耐候性と滲み抑止性に優れ、色相が確保され、かつ吐出安定性が高いという本発明の目的としている特性を具備するには、マゼンタインク用として前記一般式（１）、とくに一般式（２）、で表される染料と、前記特定のベタイン系及び／又はノニオン系界面活性剤とを水性媒体中に溶解または分散せたインクジェット用インクによって画像記録が行なわれる。このインクジェット記録用マゼンタインクは、該水性媒体中において５００〜５８０ｎｍの分光領域に吸収極大を有し、かつ１．０Ｖ（ｖｓＳＣＥ）よりも貴の酸化電位を有する染料であることを基本的特徴としている。はじめに、マゼンタ染料の構造及び特性について説明する。  
【００３５】
〔アゾ染料〕
一般式（１）で表されるアゾ染料（化合物）において、Ａは５員複素環基を表す。該５員複素環基のヘテロ原子の例には、Ｎ、Ｏ、およびＳを挙げることができる。好しくは該５員複素環基は含窒素５員複素環基であり、複素環に脂肪族環、芳香族環または他の複素環が縮合していてもよい。
Ａで表される複素環基の好ましい複素環の例には、ピラゾール環、イミダゾール環、トリアゾール環、チアゾール環、イソチアゾール環、チアジアゾール環、ベンゾチアゾール環、ベンゾオキサゾール環、またはベンゾイソチアゾール環を挙げることができる。各複素環基は更に置換基を有していてもよい。なかでも、下記一般式（ａ）から（ｇ）で表されるピラゾール環、イミダゾール環、イソチアゾール環、チアジアゾール環、ベンゾチアゾール環、またはトリアゾール環が好ましい。
【００３６】
【化１２】
0005144895.tif 000020
【００３７】
上記一般式（ａ）から（ｇ）において、Ｒm1〜Ｒm16は一般式（１）におけるＲ1またはＲ2と同義である。
Ｒ3、Ｒ4は、各々独立に、水素原子、脂肪族基（置換もしくは無置換のアルキル基、置換もしくは無置換のアルケニル基、置換もしくは無置換のアルキニル基等）、芳香族基（置換もしくは無置換のフェニル基、置換もしくは無置換のナフチル基等）、複素環基、アシル基、アルコキシカルボニル基、アリールオキシカルボニル基、カルバモイル基、スルホニル基（アルキルスルホニル基、アリールスルホニル基）、またはスルファモイル基を表す。好ましくは水素原子、アルキル基、シクロアルキル基、アラルキル基、アルケニル基、アリール基、複素環基、スルホニル基、アシル基、カルバモイル基であり、各置換基はさらに置換されていてもよい。
Ｂ1およびＢ2は、それぞれ、-ＣＲ1＝及び-ＣＲ2＝を表すか、またはいずれか一方が窒素原子、他方が-ＣＲ1＝もしくは-ＣＲ2＝を表す。Ｂ1およびＢ2が、-ＣＲ1＝または-ＣＲ2＝を表す場合が、より優れた性能を発揮できる点で好ましい。
Ｒ1、Ｒ2は、各々独立に、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、複素環オキシ基、アルコキシカルボニルオキシ基、アリールオキシカルボニルオキシ基、アルキルアミノ基、アリールアミノ基、複素環アミノ基、アシルアミノ基、ウレイド基、スルフアモイルアミノ基、アルコキシカルボニルアミノ基、アリールオキシカルボニルアミノ基、アルキルもしくはアリールスルホニルアミノ基、アリールオキシカルボニルアミノ基、ニトロ基、アルキルもしくはアリールチオ基、アルキルもしくはアリールスルホニル基、アルキルもしくはアリールスルフィニル基、スルファモイル基、スルホ基、または複素環チオ基を表す。各基は更に置換されていてもよい。また、Ｒ1とＲ２、あるいはＲ3とＲ4が結合して５または６員環を形成してもよい。
ａおよびｅは各々独立に、アルキル基、アルコキシ基またはハロゲン原子を表すが、aおよびeが共にアルキル基である時は、そのアルキル基を構成する炭素数の合計が３以上であって、それらはさらに置換されていてもよい。ｂ、ｃ、ｄは、各々独立にＲ1、Ｒ2と同義であり、ａとｂ、または、ｅとｄで互いに縮環していてもよい。但し、一般式（１）は、少なくとも一つのイオン性親水性基を有する。
【００３８】
本発明では一般式（１）で表される化合物のうち、一般式（２）で表される化合物が好ましい。
一般式（２）において、Z1は、ハメットの置換基定数σｐ値が０．２０以上の電子吸引性基を表す。
Z1の上記電子吸引性基は、ハメットの置換基定数σｐ値が０．２０以上、好ましくは０．３０以上のの電子吸引性基である。σｐ値の上限としては、好ましくは１．０以下である。
σｐ値が０．２０以上の電子吸引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、複素環基、ハロゲン原子、アゾ基、セレノシアネート基およびσｐ値が０．２０以上の他の電子吸引性基で置換されたアリール基が挙げられ、  Ｚ1として好ましくはシアノ基、ニトロ基、またはハロゲン原子であり、ハロゲン原子、またはシアノ基がより好ましく、シアノ基が最も好ましい。
【００３９】
Ｚ2は、水素原子、脂肪族基、芳香族基または複素環基を表す。Ｚ2としては水素原子、アルキル基、シクロアルキル基、アラルキル基、アリール基、複素環基、アシル基、アルケニル基又はスルホニル基が好ましく、アルキル基がより好ましい。各置換基はさらに置換されていてもよい。
アルキル基には、置換基を有するアルキル基および無置換のアルキル基が含まれる。前記アルキル基は、置換基の炭素原子を除いた炭素原子数が１〜１２のアルキル基が好ましく、より好ましくは炭素原子数１〜６のアルキル基が好ましい。置換基の例には、ヒドロキシル基、アルコキシ基、シアノ基、ハロゲン原子、およびイオン性親水性基が含まれる。アルキル基の例には、メチル基、エチル基、ブチル基、イソプロピル基、ｔ−ブチル基、ヒドロキシエチル基、メトキシエチル基、シアノエチル基、トリフルオロメチル基、３−スルホプロピル基および４−スルホブチル基が含まれる。
シクロアルキル基には、置換基を有するシクロアルキル基および無置換のシクロアルキル基が含まれる。前記シクロアルキル基としては、置換基の炭素原子を除いた炭素原子数が５〜１２のシクロアルキル基が好ましい。置換基の例には、イオン性親水性基が含まれる。シクロアルキル基の例には、シクロヘキシル基が含まれる。
【００４０】
アラルキル基としては、置換基を有するアラルキル基および無置換のアラルキル基が含まれる。アラルキル基としては、置換基の炭素原子を除いた炭素原子数が７〜１２のアラルキル基が好ましい。前記置換基の例には、イオン性親水性基が含まれる。前記アラルキル基の例には、ベンジル基、および２−フェネチル基が含まれる。
アリール基には、置換基を有するアリール基および無置換のアリール基が含まれる。アリール基としては、置換基の炭素原子を除いた炭素原子数が６〜１２のアリール基が好ましい。置換基の例には、アルキル基、アルコキシ基、ハロゲン原子、アルキルアミノ基、アミド基、カルバモイル基、スルファモイル基、スルホンアミド基、水酸基、エステル基およびイオン性親水性基が含まれる。アリール基の例には、フェニル基、ｐ−トリル基、ｐ−メトキシフェニル基、ｏ−クロロフェニル基およびｍ−（３−スルホプロピルアミノ）フェニル基が含まれる。
【００４１】
複素環基には、置換基を有する複素環基および無置換の複素環基が含まれる。複素環基としては、５員または６員環の複素環基が好ましい。置換基の例には、アミド基、カルバモイル基、スルファモイル基、スルホンアミド基、水酸基、エステル基およびイオン性親水性基が含まれる。複素環基の例には、２−ピリジル基、２−チエニル基、２−チアゾリル基、２−ベンゾチアゾリル基および２−フリル基が含まれる。
アシル基には、置換基を有するアシル基および無置換のアシル基が含まれる。前記アシル基としては、置換基の炭素原子を除いた炭素原子数が１〜１２のアシル基が好ましい。置換基の例には、イオン性親水性基が含まれる。アシル基の例には、アセチル基およびベンゾイル基が含まれる。
【００４２】
アルケニル基には、置換基を有するアルケニル基および無置換のアルケニル基が含まれる。アルケニル基としては、置換基の炭素原子を除いた炭素原子数が５〜１２のアルケニル基が好ましい。置換基の例には、イオン性親水性基が含まれる。アルケニル基の例には、ビニル基、アリル基等が含まれる。
スルホニル基としては、アルキルスルホニル基、例えばメタンスルホニル基、およびアリールスルホニル基、例えばフェニルスルホニル基等が含まれる。
ただし、Ｒ3とＲ4が共に水素原子であることはない。
【００４３】
Ｑは、水素原子、脂肪族基、芳香族基または複素環基を表す。好ましくは、アルキル基、シクロアルキル基、アラルキル基、アルケニル基、アリール基、または複素環基を表し、これら各置換基はさらに置換されていてもよい。これらの置換基の詳細は上記Ｒ1、Ｒ2の場合と同じである。
【００４４】
Ｑは、電子吸引性基で置換された、アリール基または複素環基が好ましい。
ここで、本明細書中で用いられるハメットの置換基定数σｐ値について若干説明する。ハメット則は、ベンゼン誘導体の反応又は平衡に及ぼす置換基の影響を定量的に論ずるために１９３５年Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができ、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。尚、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。
【００４５】
Ｑの上記電子吸引性基は、ハメットの置換基定数σｐ値が０．２０以上、好ましくは０．３０以上の電子吸引性基である。σｐ値の上限としては、好ましくは１．０以下である。
σｐ値が０．２０以上の電子吸引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、複素環基、ハロゲン原子、アゾ基、セレノシアネート基およびσｐ値が０．２０以上の他の電子吸引性基で置換されたアリール基が挙げられ、好ましくはシアノ基、ニトロ基、ハロゲン原子である。上記複素環基は、電子吸引性基で置換されていてもいなくてもよい。
Ｒ１〜Ｒ4、a、b、c、d及びeは、一般式（１）のＲ１〜Ｒ4、a、b、c、d及びeに関して述べたものと同義である。
【００４６】
一般式（１）に関して、好ましい置換基の組み合わせ例を以下に示す。Ａは、ピラゾール環、イミダゾール環、イソチアゾール環、チアジアゾール環、またはベンゾチアゾール環（その中でも好ましくはピラゾール環）、Ｂ1は無置換炭素原子、Ｂ2は無置換またはアルキル置換された炭素原子、Ｒ3、Ｒ4は水素原子、アルキル基、アラルキル基、アリール基、複素環基、スルホニル基、またはアシル基、ａおよびｅは、アルキル基またはハロゲン原子が好ましく、ａおよびｅが共にアルキル基の時は無置換アルキル基であって、ａおよびｅの炭素数の合計が３以上（好ましくは５以下）であり、ａ、ｂ、ｃ、ｄは、各々水素原子、ハロゲン原子、アルキル基、イオン性親水性基（好ましくは各々水素原子、炭素数１〜４のアルキル基、イオン性親水性基）の場合が好ましい組み合わせである。
【００４７】
一般式（１）中、一般式（２）の場合が最も好ましい。
Ｚ1はシアノ基が最も好ましい。
Ｚ2は、アルキル基またはアリール基が好ましい。さらに、アルキル基のうち、炭素数３〜４のアルキル基（好ましくはイソプロピル基、ｔ−ブチル基）が好ましい。アリール基では、フェニル基およびピラゾール母核側から見て２位、４位または６位のいずれかにさらなる置換基を有するフェニル基が好ましい。
一般式（２）に関して、好ましい置換基の組み合わせ例を以下に示す。Ｚ1はシアノ基；Ｚ2は、イソプロピル基、ｔ−ブチル基またはフェニル基（好ましくはｔ−ブチル基）；Ｒ1は水素原子；Ｒ2は水素原子または炭素数１〜４のアルキル基（好ましくはメチル基）；Ｒ3、Ｒ4は各々水素原子、アルキル基、アラルキル基、アリール基、複素環基、スルホニル基、またはアシル基、好ましくは水素原子、複素環基（好ましくはベンズオキサゾール環、ベンゾチアゾール環（好ましくは無置換またはスルホ置換のベンゾチアゾール環））またはアルキル及び／またはスルホ置換されたフェニル基；ａおよびｅは、各々がアルキル基であって、ａ＋ｅが炭素数３以上（好ましくは５以下）の置換されていてもよいアルキル基、好ましくは炭素数４以上５以下の無置換アルキル基；ｂ、ｃ、ｄは、各々水素原子、ハロゲン原子、アルキル基、イオン性親水性基（好ましくは各々水素原子、炭素数１〜４のアルキル基、スルホ基）；Ｑは、複素環基（好ましくはベンズオキサゾール環、ベンゾチアゾール環（好ましくはスルファモイルもしくはスルホ置換の、ベンズオキサゾール環またはベンゾチアゾール環））の場合が好ましい組み合わせである。
【００４８】
一般式（１）及び一般式（２）で表されるアゾ染料はその分子内にイオン性親水性基を少なくとも１つ（好ましくは３つ以上６つ以下）有する。イオン性親水性基には、スルホ基、カルボキシル基、ホスホノ基および４級アンモニウム基等が含まれる。前記イオン性親水性基としては、カルボキシル基、ホスホノ基、およびスルホ基が好ましく、中でもカルボキシル基、スルホ基が好ましい。特に少なくとも１つはスルホ基である事が最も好ましい。カルボキシル基、ホスホノ基およびスルホ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウムイオン）が含まれる。対イオンの中でもアルカリ金属イオンが好ましい。
上記アゾ染料はその分子内にイオン性親水性基を３つ以上６つ以下有することが好ましく、スルホ基を３つ以上６つ以下有することがより好ましく、スルホ基を３つ以上５つ以下有することが更に好ましい。
【００４９】
（アゾ染料の製造方法）
一般式（１）で表されるアゾ染料は、下記方法、＜１＞及び／又は＜２＞のいずれかの方法により得られる。
方法＜１＞は、下記の工程を含む方法である。
（ａ）アミノピラゾールと、ジアゾ化剤とを反応させてジアゾニウム塩を形成する工程、（ｂ）上記工程（ａ）で形成されたジアゾニウム塩をカップリング剤と反応させて、置換基が導入された化合物を形成する工程、及び（ｃ）塩基の存在下で、上記工程（ｂ）で形成された化合物をアルキル化剤、アリール化剤又はヘテリル化剤と反応させて一般式（１）前駆化合物を形成する工程。
【００５０】
方法＜１＞において、工程（ａ）で使用するジアゾ化剤としては、亜硝酸ナトリウムの希塩酸水溶液を使用するのが好ましい。また、亜硝酸イソペンチル及びニトロシル硫酸なども、ジアゾ化剤として使用することができる。工程（ｂ）で使用するカップリング剤としては、含窒素６員複素環カプラーを用いることが最も好ましい。工程（ｃ）でアルキル化剤、アリール化剤、又はヘテリル化剤とともに使用する塩基としては、ジイソプロピルエチルアミン等の有機塩基及び、炭酸カリウム、炭酸ナトリウム、炭酸水素ナトリウム、炭酸水素カリウム、水酸化ナトリウム、水酸化カリウムなどの無機塩基を挙げることができる。
【００５１】
方法＜２＞は、一般式（１）前駆化合物に求電子反応によって水溶性基を導入する工程を含む方法である。さらに求電子反応は下記に詳述する方法が好ましい。
【００５２】
方法＜２＞における求電子反応としてはスルホン化、マンニッヒ反応、フリーデルクラフツ反応があり、中でもスルホン化が好ましい。
一般式（１）前駆化合物をスルホン化する方法としては、濃硫酸、１０％から６０％までの発煙硫酸、クロロスルホン酸、三酸化イオウ、アミド硫酸等のスルホン化剤を用いてスルホン化することができる。また、溶剤を用いてもよく、溶剤としては、酢酸、無水酢酸、スルホラン、酢酸エチル、エーテル、四塩化炭素、アセトニトリル等を用いてもよい。
一般式（１）前駆化合物において、Ｒ3、Ｒ4及びｂ（ｄ）、ｃがスルホン化されることが好ましく、Ｒ3、Ｒ4及びｂ（ｄ）、ｃの置換基が、複数のスルホン化されうる反応点のある場合には、置換位置の異なるスルホン化された色素が混入してもよい。。この場合、主たるスルホン化された色素に対して、ＨＰＬＣ面積％で、０．１％から２０％の範囲で置換位置の異なるスルホン化された色素が混入していてもよい。。反応温度（摂氏）は―５度から８０度までが望ましく、さらに望ましくは１０度から７０度の範囲である。反応時間は３０分から１０時間の間が望ましく、さらに望ましくは１時間から６時間の間である。
【００５３】
一般式（１）前駆化合物の製造方法において、前記脱酸素条件としては、反応系内を窒素、アルゴン等の不活性ガスで満たして製造することが望ましく、さらには反応液内をこれらの不活性ガスでバブリングさせることが好ましい。
【００５４】
方法＜１＞の工程（ａ）で使用する出発物質であるアミノピラゾールは、米国特許第３,３３６,２８５号明細書及びヘテロサイクルズ（Heterocycles）,２０巻,５１９頁（１９８３）及び特公平６−１９０３６号公報等に記載されている方法によって合成することができる。
【００５５】
方法＜１＞の工程（ｂ）で用いられるピリジンカプラー（カップリング剤）は、特開昭５１−８３６３１号公報、特開昭４９−７４７１８号公報、特公５２−４６２３０号公報等に記載されている方法で合成することができる。
【００５６】
本発明のインクジェット用インクに用いるアゾ染料の具体例を以下に示すが、下記の例に限定されるものではない。
【００５７】
【化１３】
0005144895.tif 000021
【００５８】
【化１４】
0005144895.tif 000022
【００５９】
【化１５】
0005144895.tif 000023
【００６０】
【化１６】
0005144895.tif 000024
【００６１】
【化１７】
0005144895.tif 000025
【００６２】
【化１８】
0005144895.tif 000026
【００６３】
【化１９】
0005144895.tif 000027
【００６４】
上記一般式（１）で表されるアゾ染料の合成例を以下に示すが、この方法に限定されるものではない。
【００６５】
一般式（１）で表される化合物の合成方法としては、下記の化合物（ｄ−５）の例を示す。
化合物（ｄ−５）の合成
（１）化合物（ｄ−５ａ）の合成
５-アミノ-３-tert-ブチル-４-シアノピラゾール（１）２４．１ｇ（０．１４７ｍｏｌ）、濃塩酸４５ｍｌ、酢酸３０ｍｌ、プロピオン酸４５ｍｌを内温０℃で攪拌させ、水２０ｍｌに溶解させた亜硝酸ナトリウム１０．１ｇ（０．１４７ｍｏｌ）を１０分間で滴下した。そのまま３０分間攪拌させた。カプラー成分（２）８４．７ｇ（０．１４７ｍｏｌ）をメタンスルホン酸２３１ｍｌ、酢酸１４７ｍｌ、プロピオン酸２２１ｍｌに溶解させ、０℃で攪拌し、上記ジアゾニウム塩を３０分間で加えた。ジアゾニウム塩添加後、さらに反応液を３０分攪拌させた後、水２２５０ｍｌに氷７５０ｇを添加し攪拌させたところへ、上記反応液を徐々に加え、析出した化合物（ｄ−５ａ）を吸引濾過し単離した。収量７３．８ｇ、収率８５％。
【００６６】
（２）化合物（ｄ−５ｂ）の合成
化合物（ｄ−５ａ）２１ｇ（３５．５ｍｍｏｌ）にヘテリル化剤（３）２６．６ｇ（１５７ｍｍｏｌ）、炭酸カリウム２１．７ｇ、ＤＭＳＯ１４７ｍｌを加え、窒素バブリングさせながら内温９２℃で４時間加熱攪拌させた。攪拌終了後、室温まで冷却し、反応系から析出した化合物（ｄ−５ｂ）を吸引濾過にて単離した。さらにこの粗結晶を水３Ｌ中で分散させ、過剰の炭酸カリウムを溶解させ、吸引ろ過して目的化合物（ｄ−５ｂ）を得た。収量２０．０ｇ、収率６３．５％。λmax＝５５８nm（DMF溶液）。ｍ／Z（POSI）=８５８。
【００６７】
（３）化合物（ｄ−５）の合成
化合物（ｄ−５ｂ）２ｇ（２．３３ｍｍｏｌ）を東京化成製スルホラン７ｇに分散させ、内温１５℃で日曹サルファン（三酸化硫黄）１．７ｇを滴下した。滴下終了後、内温７０℃で２時間反応させた。反応終了後、反応液を２０℃に冷却し、水２ｍｌを滴下させた。内温５℃に冷却し、２５ｗｔ％水酸化ナトリウム水溶液を３．３ｍｌ滴下、さらにソディウムメトキシド２８ｗｔ％メタノール溶液を０．８ｍｌ滴下させた。さらにメタノールを４ｍｌ滴下し、析出した無機塩をろ過し、２ｍｌのメタノールで共洗いした。このろ液に酢酸カリウム２ｇ、メタノール５．６ｍｌを添加し、さらにエタノール２２，５ｍｌを添加して、染料を晶析させ、吸引ろ過およびエタノールによる洗浄を行って、粗結晶の化合物（ｄ−５）を得た。上記無機塩を含む粗結晶は、ファルマシア製セファデックスＬＨ−２０ゲルクロマトフラフィー（溶離液、水／メタノール＝１：１（ｖ／ｖ））で脱塩精製し、化合物ｄ−５を得た。得量２ｇ、収率６６％。λｍａｘ（ＤＭＳＯ）＝５６７．１ｎｍ、ε＝４６９００。
【００６８】
本発明のインクジェット記録用インク（本発明のインクともいう）は、一般式（１）のアゾ染料の少なくとも１種を、水性媒体中に溶解または分散してなり、アゾ染料を好ましくは、０．２〜２０質量％含有し、より好ましくは、０．３〜１５質量％含有し、さらに好ましくは０．５〜１０質量％含有する。
【００６９】
本発明に用いられる一般式（１）のアゾ基を有するマゼンタ染料は、染料の酸化電位がインクの水性媒体において１．０ＶｖｓＳＣＥより貴、好ましくは１．１ＶｖｓＳＣＥより貴、特に好ましくは１．２Ｖより貴である。電位を高める手段としては、（複素環Ａ）−Ｎ＝Ｎ−（複素環Ｂ）で表される発色団を有する型の染料構造の選択、アゾ基が少なくともその一方に芳香族含窒素６員複素環をカップリング成分として直結させたアゾ染料の選択、芳香族環アミノ基または複素環アミノ基含有構造を助色団として有するアゾ染料の選択、さらにはアゾ染料のα水素除去である。とくに上記一般式（２）の染料が貴の電位を発現する。
【００７０】
ここでいう酸化電位の測定法としては、染料を溶解した水溶液もしくは水混合溶媒系において参照電極としてＳＣＥ（標準飽和カロメル電極）を基準とする測定法で、作用極としてグラファイト電極又は白金電極を使用した直流ポーラログラフィー、滴下水銀電極によるポーラログラフィー、サイクリックボルタンメトリー法(CV)、回転リングディスク電極法、櫛形電極法等、種々の測定法が利用可能である。酸化電位は、過塩素酸ナトリウムや過塩素酸テトラプロピルアンモニウムといった支持電解質を含むジメチルホルムアミドやアセトニトリルのような溶媒中に、被験試料を１×１０-２〜１×１０-6ｍｏｌ・ｄｍ-3溶解し、上記測定法を用いてＳＣＥ（標準飽和カロメル電極）に対する値として測定する。また用いる支持電解質や溶媒は、被験試料の酸化電位や溶解性により適当なものを選ぶことができる。用いることができる支持電解質や溶媒については藤嶋昭他著“電気化学測定法”（1984年  技報堂出版社刊）101〜118ページに記載がある。
【００７１】
酸化電位の値は、液間電位差や試料溶液の液抵抗などの影響で、数１０ミリボルト程度偏位することがあるが、標準試料（例えばハイドロキノン）を用いて校正することにより、測定された電位の値の再現性を保証することができ、かつ上記いずれの電位測定手段でも同じ測定値を得ることができる。
酸化電位が１．０ＶｖｓＳＣＥより貴のアゾ染料は、別の耐酸化性基準は、オゾンガスに対する強制褪色速度定数であり、好ましいアゾ染料は、強制褪色速度定数が５．０×１０−２［hr-1］以下、好ましくは３．０×１０−２［hr-1］、より好ましくは１．５×１０−２［hr-1］以下であることがよい。
【００７２】
オゾンガスに対する強制褪色速度定数の測定は、当該インクのみを反射型受像媒体に印画して得られた画像の該インクの主分光吸収領域の色であってステータスＡのフィルターを通して測定した反射濃度が０．９０〜１．１０の濃度の着色領域を初期濃度点として選択し、この初期濃度を開始濃度（＝100%）とする。この画像を5mg/Lのオゾン濃度を常時維持するオゾン褪色試験機を用いて褪色させ、その濃度が初期濃度の80%となるまでの時間を測定し、この時間の逆数［hour−１］を求め、褪色濃度と時間関係が一次反応の速度式に従うとの仮定のもとに、褪色反応速度定数とする。したがって、求められる褪色速度定数は当該インクによって印画された着色領域の褪色速度定数であるが、本明細書では、この値をインクの褪色速度定数として用いる。
試験用の印画パッチは、JISコード2223の黒四角記号を印字したパッチ、マクベスチャートの階段状カラーパッチ、そのほか測定面積が得られる任意の階段濃度パッチを用いることができる。
測定用に印画される反射画像（階段状カラーパッチ）の反射濃度は、国際規格ＩＳＯ５−４（反射濃度の幾何条件）を満たした濃度計によりステータスＡフィルターを透した測定光で求められた濃度である。
オゾンガスに対する強制褪色速度定数測定用の試験チャンバーには、内部のオゾンガス濃度を定常的に５ｍｇ／Ｌに維持可能のオゾン発生装置（例えば乾燥空気に交流電圧を印可する高圧放電方式）が設けられ、曝気温度は２５℃に調節される。
なお、この強制褪色速度定数は、光化学スモッグ、自動車排気、家具の塗装面や絨毯などからの有機蒸気、明室の額縁内の発生ガスなどの環境中の酸化性雰囲気による酸化の受け易さの指標であって、オゾンガスによってこれらの酸化性雰囲気を代表させた指標である。
【００７３】
次ぎにマゼンタインクの色相について述べる。マゼンタ用インクとしては、λmaxが５００〜５８０ｎｍであることが色相の点で優れており、さらに最大吸収波長の長波側と短波側の半値幅が小さい、すなわちシャープな吸収であることが好ましい。具体的には特開平２００２−３０９１３３号公報に記載されている。またα位にメチル基を導入することにより吸収のシャ−プ化を具現できる。
【００７４】
本発明のマゼンタインクには、上記した本発明に係る特定のアゾ染料のほかに、色調を整えるため等の目的で他の着色剤を添加することもできる。また、本発明のインクセットは、本発明のインクジェット用インクを含むことを特徴とし、フルカラー用インクセットを構成するために、本発明のマゼンタインクとともに他の着色剤を有するシアンインク、イエローインク及びブラックインクを合わせて用いることができる。それぞれについて着色剤は特に限定せずに用いることができる。
【００７５】
本発明のインクセットに好ましく用いることのできるインク組成物に含まれる着色剤としての染料の例を以下に挙げるが、これに限定されるものではない。
【００７６】
[イエロー染料]
イエロー染料としては、国際出願公開ＷＯ２００５／０７５５７３、特開２００４−８３９０３号（段落番号［００２４］〜［００６２］）、同２００３−２７７６６１号（段落番号［００２１］〜［００５０］）、同２００３−２７７６６２号（段落番号[００４２]〜[００４７]）、同２００３−１２８９５３号（段落番号［００２５］〜［００７６］）、同２００３−４１１６０号（段落番号［００２８］〜［００６４］）、米国出願公開ＵＳ２００３/０２１３４０５（段落番号[０１０８]）、特願２００５−１５１２５４号（段落番号［００１５］〜［００５１］）に記載されたものが挙げられる。
【００７７】
[マゼンタ染料]
マゼンタ染料としては、複素環アゾ染料が好ましく、国際公開特許２００２／８３７９５号（35〜55頁）、同２００２−８３６６２号（27〜42頁）、特開２００４−１４９５６０号（段落番号[００４６]〜[００５９]）、同２００４−１４９５６１号（段落番号[００４７]〜[００６０]）に記載されたものが挙げられる。
【００７８】
[シアン染料]
シアン染料としては、フタロシアニン染料としては、会合性のフタロシアニン染料が好ましい。会合性のフタロシアニン染料としては、会合性基を有するものが好ましい。この会合性基とは、その基中に少なくとも分子間で水素結合が可能な結合部位（あるいは官能基）を少なくとも有する基を意味する。該結合部位は、１基中に１以上含有することができる。結合部位としては、水酸基、アミノ基、アミド結合、オキシド結合等が挙げられ、同一種もしくは異種間で水素結合が形成される。なお、会合性基は、フタロシアニン染料と任意の添加剤との間で水素結合が可能であってもよい。
求電子剤であるオゾンとの反応性を下げるために、例えばアザフタロシアニンのようにフタロシアニン骨格の炭素原子を部分的にヘテロ原子に置換したり、電子求引性基をフタロシアニン骨格に導入したりして、酸化電位を１．０Ｖ（ｖｓ  ＳＣＥ）よりも貴とすることが望ましい。酸化電位は貴であるほど好ましく、酸化電位が１．１Ｖ（ｖｓ ＳＣＥ）よりも貴であることがさらに好ましく、１．１５Ｖ（ｖｓ ＳＣＥ）よりも貴であることが特に好ましい。
【００７９】
会合性のフタロシアニン染料としては、国際出願公開２００２／６０９９４号、同２００３／８１１号、同２００３／６２３２４号、特開２００３−２１３１６７号、同２００４−７５９８６号、同２００４−３２３６０５号、同２００４−３１５７５８、同２００４−３１５８０７、同２００５−１７９４６９号の各公報に記載されたものが挙げられる。
【００８０】
フタロシアニン染料は、前述した各公報の他、特開２００４−３１５７２９号、同２００５−４１８５６号、同２００４−３２３５１１号の各公報に従って合成することが可能である。また、出発物質、染料中間体及び合成ル−トについてはこれらにより限定されるものでない。
本発明のインクセットは、インクジェット記録以外の用途に使用することもできる。例えば、特開２００４−３３１８７１号公報の［０７２７］〜［０７３１］等に記載のディスプレイ画像用材料、室内装飾材料の画像形成材料および屋外装飾材料の画像形成材料などに使用が可能である。
【００８１】
前記の染料以外に、下記各公報に記載の染料も各色のインク組成物に好ましく用いることができる。特開平１０−１３０５５７号、特開平９−２５５９０６号、特開平６−２３４９４４号、特開平７−９７５４１号、ＥＰ  ９８２３７１号、ＷＯ００/４３４５０、ＷＯ００/４３４５１、ＷＯ００/４３４５２、ＷＯ００/４３４５３、ＷＯ０３/１０６５７２、ＷＯ０３/１０４３３２、特開２００３−２３８８６２号、特開２００４−８３６０９号、特開２００２−３０２６１９号、特開２００２−３２７１３１号、特開２００２−２６５８０９号、、ＷＯ０１/４８０９０、ＷＯ２００４/０８７８１５、ＷＯ０２/０９０４４１、ＷＯ０３/０２７１８５、ＷＯ２００４/０８５５４１、特開２００３−３２１６２７号、特開２００２−３３２４１８号、特開２００２−３３２４１９号、ＷＯ０２/０５９２１６、ＷＯ０２/０５９２１５、ＷＯ２００４/０８７８１４、ＷＯ２００４/０４６２５２、ＷＯ２００４/０４６２６５、特許第３４７９４４４号、ＵＳ６６５２６３７Ｂ、ＷＯ０３/１０６５７２、ＷＯ０３/１０４３３２、ＷＯ００/５８４０７、特許第３５５８２１１号、特許第３５５８２１２号、特許第３５５８２１３号、特開２００４−２８５３５１号、特開２００４−３２３６０５号、ＷＯ０４/１０４１０８。
【００８２】
さらに本発明のインクセットに用いられるインク組成物に含有することができる色素の例としては以下を挙げることができる。
【００８３】
イエロー色素としては、例えばカップリング成分としてフェノール類、ナフトール類、アニリン類、ピラゾロン類、ピリドン類、開鎖型活性メチレン化合物類を有するアリールもしくはヘテリルアゾ染料；例えばカップリング成分として開鎖型活性メチレン化合物類を有するアゾメチン色素；例えばベンジリデン色素やモノメチンオキソノール色素等のようなメチン色素；例えばナフトキノン色素、アントラキノン色素等のようなキノン系色素などがあり、これ以外の色素種としてはキノフタロン色素、ニトロ・ニトロソ色素、アクリジン色素、アクリジノン色素等を挙げることができる。これらの色素は、クロモフォアの一部が解離して初めてイエローを呈するものであっても良く、その場合のカウンターカチオンはアルカリ金属や、アンモニウムイオンのような無機のカチオンであってもよいし、ピリジニウムイオン、４級アンモニウムイオンのような有機のカチオンであってもよく、さらにはそれらを部分構造に有するポリマーカチオンであってもよい。
【００８４】
マゼンタ色素としては、例えばカップリング成分としてフェノール類、ナフトール類、アニリン類を有するアリールもしくはヘテリルアゾ染料；例えばカップリング成分としてピラゾロン類、ピラゾロトリアゾール類を有するアゾメチン色素；例えばアリーリデン色素、スチリル色素、メロシアニン色素、オキソノール色素のようなメチン色素；ジフェニルメタン色素、トリフェニルメタン色素、キサンテン色素のようなカルボニウム色素、例えばナフトキノン系、アントラキノン系、アントラピリドン系などのようなキノン系色素、例えばジオキサジン色素等のような縮合多環系色素等を挙げることができる。これらの色素は、クロモフォアの一部が解離して初めてマゼンタを呈するものであってもよく、その場合のカウンターカチオンはアルカリ金属イオンや、アンモニウムイオンのような無機のカチオンであってもよいし、ピリジニウムイオン、４級アンモニウムイオンのような有機のカチオンであってもよく、さらにはそれらを部分構造に有するポリマーカチオンであってもよい。
【００８５】
シアン色素としては、例えばインドアニリン色素、インドフェノール色素のようなアゾメチン色素；シアニン色素、オキソノール色素、メロシアニン色素のようなポリメチン色素；ジフェニルメタン色素、トリフェニルメタン色素、キサンテン色素のようなカルボニウム色素；フタロシアニン色素；アントラキノン色素；例えばカップリング成分としてフェノール類、ナフトール類、アニリン類を有するアリールもしくはヘテリルアゾ染料、インジゴ・チオインジゴ色素を挙げることができる。これらの色素は、クロモフォアの一部が解離して初めてシアンを呈するものであっても良く、その場合のカウンターカチオンはアルカリ金属や、アンモニウムイオンのような無機のカチオンであってもよいし、ピリジニウムイオン、４級アンモニウムイオンのような有機のカチオンであってもよく、さらにはそれらを部分構造に有するポリマーカチオンであってもよい。
また、ポリアゾ染料などのブッラク色素も使用することが出来る。
【００８６】
また、本発明で使用するアゾ染料を含む色素は実質的に水溶性又は水分散性のものである。具体的には２０℃における色素の水への溶解度または分散度は２質量％上であり、好ましくは５質量％以上である。
【００８７】
そのほかの水溶性染料としては、直接染料、酸性染料、食用染料、塩基性染料、反応性染料等の水溶性染料を併用することもできる。
なかでも好ましいものとしては、
C.I. ダイレクトレッド1、2、4、9、11、23、26、31、37、39、62、63、72、75、76、79、80、81、83、84、87、89、92、95、111、173、184、207、211、212、214、218、219、223、224、225、226、227、232、233、240、241、242、243、247、254、
C.I. ダイレクトバイオレット７、９、47、48、51、66、90、93、94、95、98、100、101
C.I. ダイレクトイエロー4、８、９、11、12、27、28、29、33、35、39、41、44、50、53、58、59、68、86、87、93、95、96、98、100、106、108、109、110、120、130、132、142、144、157、161、163
C.I. ダイレクトブルー１、10、15、22、25、55、67、68、71、76、77、78、80、84、86、87、90、98、106、108、109、151、156、158、159、160、168、189、192、193、194、199、200、201、202、203、207、211、213、214、218、225、229、236、237、244、248、249、251、252、264、270、280、288、289、290、291
C.I. ダイレクトブラック９、17、19、22、32、51、56、62、69、77、80、91、94、97、108、112、113、114、117、118、121、122、125、132、146、154、166、168、173、199
C.I. アシッドレッド1、8、35、42、52、57、62、80、81、82、87、94、111、114、115、118、119、127、128、131、143、144、151、152、154、158、186、245、249、254、257、261、263、266、289、299、301、305、336、337、361、396、397
C.I. アシッドバイオレット5、34、43、47、48、90、103、126
C.I. アシッドイエロー17、19、23、25、39、40、42、44、49、50、61、64、76、79、110、127、135、143、151、159、169、174、190、195、196、197、199、218、219、222、227、
C.I. アシッドブルー9、25、40、41、62、72、76、78、80、82、87、92、106、112、113、120、127：１、129、138、143、175、181、185、205、207、220、221、230、232、247、249、258、260、264、271、277、278、279、280、288、290、326
C.I. アシッドブラック7、24、29、48、52：１、172
C.I. リアクティブレッド3、6、13、17、19、21、22、23、24、29、35、37、40、41、43、45、49、55、63、106、107、112、113、114、126、127、128、129、130、131、137、160、161、174、180
C.I. リアクティブバイオレット1、3、4、5、6、7、8、9、16、17、22、23、24、26、27、33、34
C.I. リアクティブイエロー2、3、13、14、15、17、18、23、24、25、26、27、29、35、37、41、42
C.I. リアクティブブルー2、3、5、7、8、10、13、14、15、17、18、19、21、25、26、27、28、29、38、82、89、158、182、190、203、216、220、244
C.I. リアクティブブラック4、5、8、14、21、23、26、31、32、34
C.I. ベーシックレッド12、13、14、15、18、22、23、24、25、27、29、35、36、38、39、45、46
C.I. ベーシックバイオレット1、2、3、7、10、15、16、20、21、25、27、28、35、37、39、40、48
C.I. ベーシックイエロー1、2、4、11、13、14、15、19、21、23、24、25、28、29、32、36、39、40
C.I. ベーシックブルー1、3、5、7、9、22、26、41、45、46、47、54、57、60、62、65、66、69、71
C.I. ベーシックブラック8、等が挙げられる。
【００８８】
上記式で表される染料以外に、下記各公報に記載の染料も好ましく用いることができる。
特開平１０−１３０５５７号、特開平９−２５５９０６号、特開平６−２３４９４４号、特開平７−９７５４１号、欧州特許９８２３７１号、ＷＯ００/４３４５０、ＷＯ００/４３４５１、ＷＯ００/４３４５２、ＷＯ００/４３４５３、ＷＯ０３/１０６５７２、ＷＯ０３/１０４３３２、特開２００３−２３８８６２号、特開２００４−８３６０９号、特開２００２−３０２６１９号、特開２００２−３２７１３１号、特開２００２−２６５８０９号、ＷＯ０４/０８７８１５、ＷＯ０２/０９０４４１、ＷＯ０３/０２７１８５、ＷＯ０４/０８５５４１、特開２００３−３２１６２７、特開２００２−３３２４１８、特開２００２−３３２４１９、ＷＯ０２/０５９２１６、ＷＯ０２/０５９２１５、ＷＯ０４/０８７８１４、ＷＯ０４/０４６２５２、ＷＯ０４/０４６２６５、米国特許６６５２６３７Ｂ、ＷＯ０３/１０６５７２、ＷＯ０３/１０４３３２、特表２００２−５４０２８１、特許第３５５８２１３号、特許第３５５８２１２号、特許第３５５８２１１号、特開２００４−２８５３５１、特開２００４−３２３６０５、ＷＯ０４/１０４１０８、特開２００３−１９２９３０号、ＷＯ９９／４８９８１、欧州特許公開１０６３２６８Ａ号等に記載のアントラピリドン染料、欧州特許６８２０８８Ｂ１号、ＷＯ９４／１６０２１Ａ、ＷＯ９６／２４６３６Ａ、米国特許６４６８３３８号、ＷＯ０３／１０６５７２Ａ、特開平９−１２４９６５号、特開平６−２２０３７７号、特開平６−２３４９４４号、ＷＯ９８／４４０５３号，ＷＯ００／５８４０７、欧州特許公開１３７８５４９Ａ号、同７５５９８４Ａ号、同１０５２２７４Ａ号、同１０４８７０１号に記載のアゾ染料、特開２０００−１６００７９号、特開平１０−１３０５５７号、ＷＯ０１／４８０９０Ａ、ＷＯ０１／６２８５４Ａ、ＷＯ２００４／７６２２Ａ、欧州特許公開１０８６９９９Ａ号、同９８２３７１Ａ号に記載のキレートアゾ染料、欧州特許公開１２４３６２７Ａ号、同１２４３６２６Ａ号、同１３９４２２７Ａ号、特開２００３−３４７５８号、ＷＯ０２／３４８４４Ａ、ＷＯ０４／８７８１５号。
【００８９】
更に、本発明のマゼンタインクやこれとインクセットとして組み合わせられる他のインクには顔料も併用し得る。
本発明に用いられる顔料としては、市販のものの他、各種文献に記載されている公知のものが利用できる。文献に関してはカラーインデックス(The Society of Dyers and Colourists編)、「改訂新版顔料便覧」日本顔料技術協会編(1989年刊)、「最新顔料応用技術」CMC出版(1986年刊)、「印刷インキ技術」CMC出版(1984年刊)、W. Herbst, K. Hunger共著によるIndustrial Organic Pigments (VCH Verlagsgesellschaft、1993年刊)等がある。具体的には、有機顔料ではアゾ顔料（アゾレーキ顔料、不溶性アゾ顔料、縮合アゾ顔料、キレートアゾ顔料）、多環式顔料（フタロシアニン系顔料、アントラキノン系顔料、ペリレン及びペリノン系顔料、インジゴ系顔料、キナクリドン系顔料、ジオキサジン系顔料、イソインドリノン系顔料、キノフタロン系顔料、ジケトピロロピロール系顔料等）、染付けレーキ顔料（酸性または塩基性染料のレーキ顔料）、アジン顔料等があり、無機顔料では、黄色顔料のC. I. Pigment Yellow 34, 37, 42, 53など、赤系顔料のC. I. Pigment Red 101, 108など、青系顔料のC. I. Pigment Blue 27, 29,17:1など、黒系顔料のC. I.Pigment Black 7,マグネタイトなど、白系顔料のC. I. Pigment White 4,6,18,21などを挙げることができる。
【００９０】
画像形成用に好ましい色調を持つ顔料としては、青ないしシアン顔料ではフタロシアニン顔料、アントラキノン系のインダントロン顔料（たとえばC. I. Pigment Blue 60など）、染め付けレーキ顔料系のトリアリールカルボニウム顔料が好ましく、特にフタロシアニン顔料（好ましい例としては、C. I. Pigment Blue 15:1、同15:2、同15:3、同15:4、同15:6などの銅フタロシアニン、モノクロロないし低塩素化銅フタロシアニン、アルニウムフタロシアニンでは欧州特許860475号に記載の顔料、C. I. Pigment Blue 16である無金属フタロシアニン、中心金属がZn、Ni、Tiであるフタロシアニンなど、中でも好ましいものはC. I. Pigment Blue 15:3、同15:4、アルミニウムフタロシアニン）が最も好ましい。
【００９１】
赤ないし紫色の顔料では、アゾ顔料（好ましい例としては、C. I. Pigment Red 3、同５、同11、同22、同38、同48:1、同48:2、同48:3、同48:4、同49:1、同52:1、同53:1、同57:1、同63:2、同144、同146、同184）など、中でも好ましいものはC. I. Pigment Red 57:1、同146、同184）、キナクリドン系顔料（好ましい例としてはC. I. Pigment Red 122、同192、同202、同207、同209、C. I. Pigment Violet 19、同42、なかでも好ましいものはC. I. Pigment Red 122）、染め付けレーキ顔料系のトリアリールカルボニウム顔料（好ましい例としてはキサンテン系のC. I. Pigment Red 81:1、C. I. Pigment Violet 1、同２、同３、同27、同39）、ジオキサジン系顔料（例えばC. I. Pigment Violet 23、同37）、ジケトピロロピロール系顔料（例えばC. I. Pigment Red 254）、ペリレン顔料（例えばC. I. Pigment Violet 29）、アントラキノン系顔料（例えばC. I. Pigment Violet 5:1、同31、同33）、チオインジゴ系（例えばC. I. Pigment Red 38、同88）が好ましく用いられる。
【００９２】
黄色顔料としては、アゾ顔料（好ましい例としてはモノアゾ顔料系のC. I. Pigment Yellow 1, 3, 74, 98、ジスアゾ顔料系のC. I. Pigment Yellow 12, 13, 14, 16, 17, 83、総合アゾ系のC. I. Pigment Yellow 93, 94, 95, 128, 155、ベンズイミダゾロン系のC. I. Pigment Yellow 120, 151, 154, 156, 180など、なかでも好ましいものはベンジジン系化合物を原料に使用しなもの）、イソインドリン・イソインドリノン系顔料（好ましい例としてはC. I. Pigment Yellow 109, 110, 137, 139など）、キノフタロン顔料（好ましい例としてはC. I. Pigment Yellow 138など）、フラパントロン顔料（例えばC. I. Pigment Yellow 24など）が好ましく用いられる。
黒顔料としては、無機顔料（好ましくは例としてはカーボンブラック、マグネタイト）やアニリンブラックを好ましいものとして挙げることができる。
この他、オレンジ顔料（C. I. Pigment Orange 13, 16など）や緑顔料（C. I. PigmentGreen 7など）を使用してもよい。
【００９３】
本技術に使用できる顔料は、上述の顔料のままであってもよいし、表面処理を施された顔料でもよい。表面処理の方法には、樹脂やワックスを表面コートする方法、界面活性剤を付着させる方法、反応性物質（例えば、シランカップリング剤やエポキシ化合物、ポリイソシアネート、ジアゾニウム塩から生じるラジカルなど）を顔料表面に結合させる方法などが考えられ、次の文献や特許に記載されている。
（１）金属石鹸の性質と応用（幸書房）
（２）印刷インキ印刷（ＣＭＣ出版  １９８４）
（３）最新顔料応用技術（ＣＭＣ出版  １９８６）
（４）米国特許５，５５４，７３９号、同５，５７１，３１１号
（５）特開平９−１５１３４２号、同１０−１４００６５号、同１０−２９２１４３号、同１１−１６６１４５号
特に、上記（４）の米国特許に記載されたジアゾニウム塩をカーボンブラックに作用させて調製された自己分散性顔料や、上記（５）の日本特許に記載された方法で調製されたカプセル化顔料は、インク中に余分な分散剤を使用することなく分散安定性が得られるため特に有効である。
【００９４】
本発明においては、顔料はさらに分散剤を用いて分散されていてもよい。分散剤は、用いる顔料に合わせて公知の種々のもの、例えば界面活性剤型の低分子分散剤や高分子型分散剤を用いることが出来る。分散剤の例としては特開平３−６９９４９号、欧州特許５４９４８６号等に記載のものを挙げることができる。また、分散剤を使用する際に分散剤の顔料への吸着を促進するためにシナジストと呼ばれる顔料誘導体を添加してもよい。
本技術に使用できる顔料の粒径は、分散後で０．０１〜１０μｍの範囲であることが好ましく、０．０５〜１μｍであることが更に好ましい。
【００９５】
顔料を分散する方法としては、インク製造やトナー製造時に用いられる公知の分散技術が使用できる。分散機としては、縦型あるいは横型のアジテーターミル、アトライター、コロイドミル、ボールミル、３本ロールミル、パールミル、スーパーミル、インペラー、デスパーサー、ＫＤミル、ダイナトロン、加圧ニーダー等が挙げられる。詳細は「最新顔料応用技術」（CMC出版、1986）に記載がある。
【００９６】
次に、本発明のインクジェット記録用インクが含有し得る界面活性剤について説明する。
本発明のインクジェット記録用インクに界面活性剤を含有させ、インクの液物性を調整することで、インクの吐出安定性を向上させ、画像の耐水性の向上や印字したインクの滲みの防止などに優れた効果を持たせることができる。
【００９７】
一般式（１）で表されるマゼンタ染料を含有する本発明のインクジェット用インクでは、界面活性剤としてベタイン系界面活性剤及び／又はノニオン系界面活性剤をインク媒体である水性媒体中に溶解及び／又は分散させることによって上記の諸効果、とくに色素の堅牢性を維持してかつ記録画像の滲みを防止する効果が顕著となる。
ここで、「水性媒体」とは、水又は水と少量の水混和性有機溶剤との混合物に、必要に応じて界面活性剤、湿潤剤、安定剤、防腐剤等の添加剤を添加したものを意味する。
【００９８】
本発明のインクに含まれるベタイン系界面活性剤は、基本的には親水性基を有して、上記マゼンタ染料の水性媒体への溶解、分散性を向上させることで色素の堅牢性を維持し、かつ記録画像のにじみを防止しているが、ベタイン系界面活性剤は例えば油溶性染料の分散に用いる場合も含まれる。
ここで言うベタイン系界面活性剤とは、その分子中にカチオン性の部位とアニオン性の部位を両方とも有し、かつ界面活性を有する化合物を表す。カチオン性の部位としてはアミン性の窒素原子、ヘテロ芳香族環の窒素原子、炭素との結合を４つ有するホウ素原子、リン原子などを挙げることができる。この中で好ましくはアンモニウム構造の窒素原子もしくはヘテロ芳香族環（好ましくはイミダゾリウム構造）の窒素原子である。中でも特に第４級の窒素原子であることが好ましい。アニオン性の部位としては、水酸基、チオ基、スルホンアミド基、スルホ基、カルボキシル基、イミド基、リン酸基、ホスホン酸基などを挙げることができる。この中でも特にカルボキシル基、スルホ基が好ましい。好ましくは、カルボキシル基又はスルホ基含有界面活性剤である。分子全体としての荷電は、カチオン、アニオン、中性のいずれでもよいが、好ましくは中性である。
ベタイン系界面活性剤として好ましくは前記の化合物Ａ及び化合物Ｂであり、特に一般式（Ａ）及び一般式（Ｂ）のいずれかで表される化合物が好ましい。
【００９９】
【化２０】
0005144895.tif 000028
【０１００】
一般式（Ａ）において、ＲＳ１、ＲＳ２はそれぞれアルキル基を表し、ＲＳ３はカルボキシル基を含有するアルキル基またはスルホ基を含有するアルキル基を表す。
【０１０１】
【化２１】
0005144895.tif 000029
【０１０２】
一般式（Ｂ）において、ＲＳ４、ＲＳ５、ＲＳ６は各々独立して、アルキル基、アリール基またはヘテロ環基を表し、それぞれが互いに連結して環状構造を形成してもよい。ＲＳ４、ＲＳ５、ＲＳ６は各々独立して、アルキル基（置換されていてもよい。好ましくは炭素数１〜２０、より好ましくは炭素数１〜１６の基である。例えばメチル基、エチル基、プロピル基、ブチル基、ヘキシル基、オクチル基、ドデシル基、セチル基、ステアリル基、オレイル基など）、アリール基（置換されていてもよい。好ましくは炭素数６〜２０、より好ましくは炭素数６〜１４の基である。例えばフェニル基、トリル基、キシリル基、ナフチル基、クミル基、ドデシルフェニル基など）、ヘテロ環基（置換されていてもよい。好ましくは炭素数２〜２０、より好ましくは炭素数２〜１２の基である。例えばピリジル基、キノリル基など）を表し、それぞれが互いに連結して環状構造を形成してもよい。環状構造の具体例としては、例えばピペリジン環、モルホリン環等が挙げられる。ＲＳ４、ＲＳ５、ＲＳ６として、特に好ましくはアルキル基である。
【０１０３】
ＲＳ７はカルボキシル基を含有するアルキル基またはスルホ基を含有するアルキル基を表す。ＲＳ７はカルボキシル基またはスルホ基を含有する置換基（好ましくは、カルボキシル基またはスルホ基を含有する、アルキル基、アリ−ル基またはヘテロ環基）を表す。前記アルキル基、アリ−ル基またはヘテロ環基はＲＳ４、ＲＳ５、ＲＳ６で記載したものと同様なものが挙げられ、同様なものが好ましい。ＲＳ７は−Ｌ−ＣＯＯ−で表される基であることが好ましい。Ｌは２価の連結基を表す。この例としては、アルキレン基、アリーレン基を基本的な構成単位として含む２価の連結基が好ましい。連結主鎖部に酸素原子、硫黄原子、窒素原子などのヘテロ原子を含有してもよい。Ｌとしてはアルキレン基（メチレン、エチレンが好ましく、メチレンがより好ましい）が好ましい。
【０１０４】
ＲＳ４、ＲＳ５、ＲＳ６もしくはＬには種々の置換基が置換可能である。例えばアルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等の各基が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等の各基が挙げられる。）、アルキニル基（好ましくは炭素数２〜２０、より好ましくは炭素数２〜１２、特に好ましくは炭素数２〜８であり、例えばプロパルギル基、３−ペンチニル基等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチルの各基等が挙げられる。）、アミノ基（好ましくは炭素数０〜２０、より好ましくは炭素数０〜１２、特に好ましくは炭素数０〜６であり、例えばアミノ、メチルアミノ、ジメチルアミノ、ジエチルアミノ、ジフェニルアミノ、ジベンジルアミノ等の各基が挙げられる。）、アルコキシ基（好ましくは炭素数１〜２０、より好ましくは炭素数１〜１２、特に好ましくは炭素数１〜８であり、例えばメトキシ、エトキシ、ブトキシ等の各基が挙げられる。）、アリールオキシ基（好ましくは炭素数６〜２０、より好ましくは炭素数６〜１６、特に好ましくは炭素数６〜１２であり、例えばフェニルオキシ基、２−ナフチルオキシ基等が挙げられる。）、アシル基（好ましくは炭素数１〜２０、より好ましくは炭素数１〜１６、特に好ましくは炭素数１〜１２であり、例えばアセチル、ベンゾイル、ホルミル、ピバロイル等の各基が挙げられる。）、アルコキシカルボニル基（好ましくは炭素数２〜２０、より好ましくは炭素数２〜１６、特に好ましくは炭素数２〜１２であり、例えばメトキシカルボニル基、エトキシカルボニル基等が挙げられる。）、アリールオキシカルボニル基（好ましくは炭素数７〜２０、より好ましくは炭素数７〜１６、特に好ましくは炭素数７〜１０であり、例えばフェニルオキシカルボニル基などが挙げられる。）、アシルオキシ基（好ましくは炭素数２〜２０、より好ましくは炭素数２〜１６、特に好ましくは炭素数２〜１０であり、例えばアセトキシ基、ベンゾイルオキシ基等が挙げられる。）、アシルアミノ基（好ましくは炭素数２〜２０、より好ましくは炭素数２〜１６、特に好ましくは炭素数２〜１０であり、例えばアセチルアミノ基、ベンゾイルアミノ基等が挙げられる。）、アルコキシカルボニルアミノ基（好ましくは炭素数２〜２０、より好ましくは炭素数２〜１６、特に好ましくは炭素数２〜１２であり、例えばメトキシカルボニルアミノ等が挙げられる。）、アリールオキシカルボニルアミノ基（好ましくは炭素数７〜２０、より好ましくは炭素数７〜１６、特に好ましくは炭素数７〜１２であり、例えばフェニルオキシカルボニルアミノ基等が挙げられる。）、スルホニルアミノ基（好ましくは炭素数１〜２０、より好ましくは炭素数１〜１６、特に好ましくは炭素数１〜１２であり、例えばメタンスルホニルアミノ基、ベンゼンスルホニルアミノ基等が挙げられる。）、スルファモイル基（好ましくは炭素数０〜２０、より好ましくは炭素数０〜１６、特に好ましくは炭素数０〜１２であり、例えばスルファモイル、メチルスルファモイル、ジメチルスルファモイル、フェニルスルファモイル等の各基が挙げられる。）、カルバモイル基（好ましくは炭素数１〜２０、より好ましくは炭素数１〜１６、特に好ましくは炭素数１〜１２であり、例えばカルバモイル、メチルカルバモイル、ジエチルカルバモイル、フェニルカルバモイル等の各基が挙げられる。）、アルキルチオ基（好ましくは炭素数１〜２０、より好ましくは炭素数１〜１６、特に好ましくは炭素数１〜１２であり、例えばメチルチオ基、エチルチオ基等が挙げられる。）、アリールチオ基（好ましくは炭素数６〜２０、より好ましくは炭素数６〜１６、特に好ましくは炭素数６〜１２であり、例えばフェニルチオ基等が挙げられる。）、スルホニル基（好ましくは炭素数１〜２０、より好ましくは炭素数１〜１６、特に好ましくは炭素数１〜１２であり、例えばメシル基、トシル基等が挙げられる。）、スルフィニル基（好ましくは炭素数１〜２０、より好ましくは炭素数１〜１６、特に好ましくは炭素数１〜１２であり、例えばメタンスルフィニル基、ベンゼンスルフィニル基等が挙げられる。）、ウレイド基（好ましくは炭素数１〜２０、より好ましくは炭素数１〜１６、特に好ましくは炭素数１〜１２であり、例えばウレイド、メチルウレイド、フェニルウレイド等の各基が挙げられる。）、リン酸アミド基（好ましくは炭素数１〜２０、より好ましくは炭素数１〜１６、特に好ましくは炭素数１〜１２であり、例えばジエチルリン酸アミド基、フェニルリン酸アミド基等が挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子を含むものであり具体的には例えばイミダゾリル、ピリジル、キノリル、フリル、チエニル、ピペリジル、モルホリノ、ベンゾオキサゾリル、ベンゾイミダゾリル、ベンゾチアゾリル、カルバゾリル、アゼピニル等の各基が挙げられる。）、シリル基（好ましくは炭素数３〜４０、より好ましくは炭素数３〜３０、特に好ましくは炭素数３〜２４であり、例えばトリメチルシリル基、トリフェニルシリル基等が挙げられる。）等が挙げられる。これらの置換基は更に置換されてもよい。。また置換基が二つ以上ある場合は、同一でも異なっていてもよい。。また、可能な場合には互いに連結して環を形成していてもよい。また、ＲＳ４、ＲＳ５、ＲＳ６もしくはＬを介して、ベタイン構造が複数含まれていてもよい。
【０１０５】
本発明に用いる一般式（Ｂ）で表される化合物において、ＲＳ４、ＲＳ５、ＲＳ６およびＬで表される基のいずれかに炭素数８以上の基を含有する場合が好ましい。中でもＲＳ４、ＲＳ５、ＲＳ６に炭素数８以上の長鎖アルキル基が含有されるものが特に好ましい。ＬをＣＨ（ＲＳ８）と表し、ＲＳ８は水素原子または炭素数８以上のアルキル基を表し、ＲＳ４、ＲＳ５、ＲＳ６、ＲＳ８のいずれかが炭素数８以上のアルキル基である場合がより好ましい。
本発明に用いる一般式（Ａ）で表される化合物において、ＲＳ１、ＲＳ２はそれぞれ独立にアルキル基を表し、ＲＳ３はカルボキシ基またはスルホ基を含有するアルキル基を表す。
ＲＳ１、ＲＳ２で表されるアルキル基は上記のＲＳ４、ＲＳ５、ＲＳ６で挙げられたと同様なものが適用される。
ＲＳ３は前記のＲＳ７と同様なものが挙げられる。ＲＳ３はカルボキシアルキル基及びスルホアルキル基（該基のアルキル部分の炭素原子数は１〜６が好ましく、１〜４がより好ましい。）である場合が好ましい。
【０１０６】
一般式（Ａ）又は一般式（Ｂ）で表されるベタイン系界面活性剤の好ましい添加量（染料の分散に用いた量をも含むこととする）は広い範囲を持つが、好ましくは0.01〜20質量％、より好ましくは0.01〜15質量％であり、さらに好ましくは0.01〜10質量％であり、特に好ましくは0.01〜5質量％である。
以下に本発明に好ましく用いられるベタイン系界面活性剤の具体例を示すが、本発明はもちろんこれによって限定されるものではない。
【０１０７】
【化２２】
0005144895.tif 000030
【０１０８】
【化２３】
0005144895.tif 000031
【０１０９】
【化２４】
0005144895.tif 000032
【０１１０】
【化２５】
0005144895.tif 000033
【０１１１】
【化２６】
0005144895.tif 000034
【０１１２】
【化２７】
0005144895.tif 000035
【０１１３】
また、ベタイン系界面活性剤として、１分子中に２つ以上のカルボン酸基及び／又はその塩を有するベタイン系界面活性剤も好ましく用いられる。
これらの具体例としては、アルキルイミノジ酢酸、アルキルイミノジプロピオン酸、アルキルニトリルトリ酢酸、アルキルイミノトリプロピオン酢酸、エチレンジアミン四酢酸、及びその誘導体などが挙げられる。これらの化合物は、酸の形で用いられてもよい。し、塩の形で用いられてもよい。また、一つの分子中で酸と塩とが混ざっていてもよい。
これらの化合物は、１分子中に複数のカルボン酸基を有するため、染料分子と結びつくと、染料の見かけのカルボン酸基が増えることになる。そのため、染料と媒染剤、又はセルロース繊維との結びつきが強くなり、その結果インク滲み耐性や耐水性が向上する。
【０１１４】
以下に、これらの１分子中に複数のカルボン酸基を有するベタイン系界面活性剤の具体例を示すが、本発明はもちろんこれらの具体例に限定されるものではない。
【０１１５】
【化２８】
0005144895.tif 000036
【０１１６】
【化２９】
0005144895.tif 000037
【０１１７】
【化３０】
0005144895.tif 000038
【０１１８】
本発明のインクに含まれるノニオン系界面活性剤は、一般式（１）で表されるマゼンタ染料の分散性、相溶性、色素堅牢性、画像にじみ抑止性などについて基本的には上記ベタイン系活性剤について述べたことと同じ効果を有している。とくにインクの吐出安定性や紙への浸透性の点からノニオン性界面活性剤が好ましい。
とりわけ、下記一般式（Ｉ）または（II）あるいは一般式（III）で表される化合物が好ましい。
まず、一般式（Ｉ）で表される化合物について説明する。
【０１１９】
【化３１】
0005144895.tif 000039
【０１２０】
一般式（Ｉ）中、Ｒ21は炭素数５〜４０、好ましくは炭素数８〜１８のアルキル基を表し、直鎖であっても分岐であってもよく、また置換されていてもよい。
Ｒ21で表されるアルキル基に置換可能な基としては、アリール基（例えばフェニル、ｏ−トリル、ｐ−トリル、ｐ−ｔ−ブチルフェニル等の各基）、アルコキシ基（例えば、メトキシ、エトキシ、ｎ−ブトキシ等の各基）、ハロゲン原子（例えば、塩素原子、臭素原子）等を挙げることができる。
Ｒ21で表されるアルキル基の具体例としては、ｎ−ペンチル、ｎ−ヘキシル、ｎ−オクチル、ｎ−デシル、ｎ−ドデシル、ｎ−ペンタデシル、ｎ−オクタデシル、２−エチルヘキシル、１−エチルペンチル、１−ｎ−ブチルペンチル、１−ｎ−ペンチルヘキシル、１−ｎ−ヘキシルヘプチル、１−ｎ−ヘプチルオクチル、１−ｎ−オクチルノニル、６−メトキシヘキシル、２−フェニルエチル等の各基を挙げることができる。
ｍ1はエチレンオキシドの平均付加モル数を表し、２〜４０であり、好ましくは３〜３０であり、特に好ましくは３〜２０である。
一般式（Ｉ）で表される化合物のうち、特に好ましいのは下記一般式（Ｉ−１）で表される化合物である。
【０１２１】
【化３２】
0005144895.tif 000040
【０１２２】
一般式（Ｉ−１）中、Ｒ22、Ｒ23は各々炭素数４〜１０の飽和炭化水素基を表し、Ｒ22、Ｒ23の炭素数の合計が８〜１８である。ｍ11はエチレンオキシドの平均付加モル数を表し、３〜２０である。Ｒ22、Ｒ23で表される炭素数４〜１０の飽和炭化水素基としてはｎ−ブチル、ｉ−ブチル、ｎ−ペンチル、ｎ−ヘキシル、ｎ−ヘプチル、ｎ−オクチル、２−エチルヘキシル、ｎ−ノニル、ｎ−デシル等の各基を挙げることができる。Ｒ22とＲ23の炭素数の合計は８〜１８であり、８〜１６がさらに好ましい。ｍ11は３〜２０であり、より好ましくは５〜２０であり、さらに好ましくは６〜１８である。
以下に、一般式（Ｉ）で表される化合物の具体例を示すが、これらに限定されるものではない。
【０１２３】
【化３３】
0005144895.tif 000041
【０１２４】
以下の表１に、一般式（Ｉ−１）で表される化合物の具体例を示すが、これらに限定されるものではない。
【０１２５】
【表１】
0005144895.tif 000042
【０１２６】
次に一般式（II）で表される化合物について説明する。
【０１２７】
【化３４】
0005144895.tif 000043
【０１２８】
一般式（II）中、Ｒ24は炭素数５〜４０、好ましくは炭素数５〜３０のアルキル基を表し、直鎖であっても分岐であってもよく、また置換されていてもよい。
Ｒ24で表されるアルキル基に置換可能な基としては、アリール基（例えばフェニル、ｏ−トリル、ｐ−トリル、ｐ−ｔ−ブチルフェニル等の各基）、アルコキシ基（例えば、メトキシ、エトキシ、ｎ−ブトキシ等の各基）、ハロゲン原子（例えば、塩素原子、臭素原子）等を挙げることができる。Ｒ24で表されるアルキル基の具体例としては、ｎ−ペンチル、ｎ−ヘキシル、ｎ−オクチル、ｎ−デシル、ｎ−ドデシル、ｎ−ペンタデシル、ｎ−オクタデシル、２−エチルヘキシル、１−エチルペンチル、１−ｎ−ブチルヘプチル、１−ｎ−ヘキシルノニル、１−ｎ−ヘプチルデシル、１−ｎ−オクチルドデシル、１−ｎ−デシルテトラデシル、６−メトキシヘキシル、２−フェニルエチル等の各基を挙げることができる。
ｍ2はエチレンオキシド基の平均付加数を表し、２〜４０であり、好ましくは３〜３０であり、特に好ましくは４〜２０である。
一般式（II）で表される化合物のうち、特に好ましいのは下記一般式（II−１）で表される化合物である。
【０１２９】
【化３５】
0005144895.tif 000044
【０１３０】
一般式（II−１）中、Ｒ25、Ｒ26は各々炭素数２〜２０の飽和炭化水素基であり、炭素数４〜１３が好ましい。Ｒ25、Ｒ26で表される炭素数２〜２０の飽和炭化水素基としてはエチル、ｎ−ブチル、ｉ−ブチル、ｎ−ペンチル、ｎ−ヘキシル、ｎ−ヘプチル、ｎ−オクチル、２−エチルヘキシル、ｎ−ノニル、ｎ−デシル、ｎ−ドデシル、ｎ−ヘキサデシル、ｎ−オクタデシル等の各基を挙げることができる。ｍ21はエチレンオキシド基の平均付加モル数を表し、２〜４０であり、３〜３０が好ましい。
【０１３１】
以下に、一般式（II）で表される化合物の具体例を示すが、これらに限定されるものではない。
【０１３２】
【化３６】
0005144895.tif 000045
【０１３３】
一般式（II−１）で表される化合物としては、例えば、２−ブチルオクタン酸のポリエチレンオキシドの片末端エステル、ウンデカン−６−オールのポリエチレンオキシド付加物などが挙げられる。以下の表２に、一般式（II−１）で表される化合物の具体例を示すが、これらに限定されるものではない。
【０１３４】
【表２】
0005144895.tif 000046
【０１３５】
一般式（Ｉ）または一般式（II）で表される化合物は、公知の方法を用いて合成することが可能であり、例えば藤本武彦著全訂版「新・界面活性剤入門」（１９９２年）９４〜１０７頁等に記載の方法で得ることができる。
次に一般式（III）で表される化合物について説明する。
【０１３６】
【化３７】
0005144895.tif 000047
【０１３７】
式中Ｒ31、Ｒ32はそれぞれ独立に、炭素数１〜１８のアルキル基を表す。
さらに詳しく説明すると、Ｒ31、Ｒ32はそれぞれ独立に、炭素数１〜１８のアルキル基（例えば、メチル、エチル、ｎ−プロピル、ブチル、ヘキシル、オクチル、デシル、ドデシル等の各基）を表し、置換されていてもよい。置換基の例としては、アルキル基（例えば、メチル、エチル、イソプロピル等の各基）、アルコキシ基（例えば、メトキシ基、エトキシ基等）、ハロゲン原子（例えば、塩素原子、臭素原子）等を挙げることができる。このうち、Ｒ31、Ｒ32としては炭素数１〜１２の無置換の直鎖アルキル基もしくは無置換の分岐アルキル基が好ましく、その特に好ましい具体例としてはメチル、エチル、ｎ−ブチル、２−メチルブチル、２，４−ジメチルペンチル等の各基を挙げることができる。
【０１３８】
Ｒ32は水素原子、炭素数１〜６のアルキル基、フェニル基を表し、アルキル基、フェニル基は置換されていてもよい。
Ｒ33のアルキル基の置換基としては、アルキル基（例えば、メチル、エチル、イソプロピル等の各基）、アルコキシ基（例えば、メトキシ基、エトキシ基等）、フェニル基を挙げることができる。Ｒ33のフェニル基の置換基としては、アルキル基（例えば、メチル、エチル、イソプロピル等の各基）、アルコキシ基（例えば、メトキシ基、エトキシ基等）、ハロゲン原子（例えば、フッ素原子、塩素原子、臭素原子）等を挙げることができる。Ｒ33のうち好ましいのは、水素原子あるいは炭素数１〜４のアルキル基であり、特に好ましいのは水素原子である。
Ｘは水素原子、
【０１３９】
【化３８】
0005144895.tif 000048
【０１４０】
を表し、Ｒ34、Ｒ35はそれぞれ独立に、炭素数１〜１８のアルキル基を表す。Ｒ34、Ｒ35の好ましい置換基や具体例は、上記のＲ31、Ｒ32と同じ群から選ばれる置換基や具体例である。Ｒ36は水素原子、炭素数１〜６のアルキル基、フェニル基を表し、その好ましい具体例は上記のＲ33と同じ群から選ばれる置換基や具体例である。
ｍ3、ｍ4はそれぞれエチレンオキシド基の平均付加モル数を表し、ｍ3＋ｍ4は０〜１００、好ましくは０〜５０、特に好ましくは０〜４０である。
ここで、ｍ3＝０の時Ｒ33は水素原子を表し、ｍ4＝０の時Ｒ36は水素原子を表す。またＸが水素原子を表す時、ｍ3は１〜１００を表し、好ましくは１〜５０、特に好ましくは１〜４０を表す。
【０１４１】
一般式（III）で表される化合物のうち、特に好ましいのは下記一般式（III−１）で表される化合物である。
【０１４２】
【化３９】
0005144895.tif 000049
【０１４３】
式中、Ｒ37、Ｒ38、Ｒ39及びＲ40は、それぞれ独立に、炭素数１〜６、好ましくは炭素数１〜４のアルキル基を表す。ｍ31とｍ41はそれぞれエチレンオキシド基の付加モル数を表し、それらの和が０〜４０、好ましくは２〜２０となる数である。
以下に、一般式（III）または一般式（III−１）で表される化合物の具体例を示すが、これらに限定されるものではない。
【０１４４】
【化４０】
0005144895.tif 000050
【０１４５】
【化４１】
0005144895.tif 000051
【０１４６】
【化４２】
0005144895.tif 000052
【０１４７】
一般式（III）または一般式（III−１）で表される化合物は、公知の方法を用いて合成することが可能であり、例えば藤本武彦著全訂版「新・界面活性剤入門」（１９９２年）９４頁〜１０７頁等に記載の方法で得ることができる。
【０１４８】
本発明でインクに含有させる界面活性剤としては、インクからの析出や分離が起こりにくく、発泡性が少ないことが好ましく、この観点からも上記したベタイン系界面活性剤及びノニオン系界面活性剤が好ましい。なかでも発泡性の観点からノニオン性界面活性剤が好ましく、疎水性部位が２本鎖もしくは疎水性部位が分岐しているノニオン性界面活性剤として一般式（Ｉ−１）又は一般式（II−１）で表される化合物、疎水性部位の中央付近に親水性基を有するノニオン性界面活性剤として一般式（III−１）で表される化合物が好ましい。
本発明に用いるインクにノニオン系界面活性剤を用いる場合、その含有量は、０．０１〜２０質量％であり、好ましくは０．０１〜１５質量％、さらに好ましくは０．０１〜１０質量％、特に好ましくは０．０１〜５質量％である。インク中のノニオン系界面活性剤のみが用いられてその濃度が０．０１質量％より少ないと、吐出安定性の低下、混色時の滲みの発生、ひげ発生などのように印字品質が著しく低下する傾向がある。またインク中の界面活性剤が２０質量％より多いと、吐出時、ハード表面へのインクの付着等により印字不良となる場合がある。この観点から、本発明のインクの静的表面張力は、２５℃において２０ｍＮ/ｍ以上が好ましく、２５ｍＮ/ｍ以上がより好ましい。また、２５℃において６０ｍＮ/ｍ以下が好ましく、５０ｍＮ/ｍ以下がより好ましく、４０ｍＮ/ｍ以下が特に好ましい。静的表面張力については、さらに後述する。
【０１４９】
また、本発明のインクにおいては、上記したベタイン系界面活性剤及びノニオン系界面活性剤を併用すること、またそれ以外にも別種の界面活性剤を併用することが可能である。
別種の界面活性剤を併用することにより、表面張力等のインクの液物性を調整すること、インクの吐出安定性を向上させること、画像の耐水性の向上や印字したインクの滲み防止性が向上することなどで、本発明の上記界面活性剤の効果が補強されることもある。
これら上記界面活性剤と併用できる界面活性剤としては、例えば、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン性界面活性剤、脂肪アミン塩、４級アンモニウム塩、アルキルピリジニウム塩等のカチオン性界面活性剤、フッ素系、シリコン系化合物などが挙げられる。これらは単独あるいは２種以上を用いることができる。
【０１５０】
具体的には、例えばドデシル硫酸ナトリウム、ドデシルオキシスルホン酸ナトリウム、アルキルベンゼンスルホン酸ナトリウム等のアニオン性界面活性剤、セチルピリジニウムクロライド、トリメチルセチルアンモニウムクロライド、テロラブチルアンモニウムクロライド等のカチオン性界面活性剤などが挙げられる。
これらの併用してもよい界面活性剤は、本発明の効果を失わない範囲内で添加することが可能であるが、その含有量はインクに対して０．００１〜１５質量％、好ましくは０．００５〜１０質量％、更に好ましくは０．０１〜５質量であり、かつ上記したベタイン系界面活性剤及びノニオン系界面活性剤の濃度を超えない範囲で用いられる。界面活性剤の含有量の合計はインクに対して０．０１〜２０質量％、好ましくは０．０１〜１５質量％、さらに好ましくは０．０１〜５質量％である。好ましくは、実質的に上記したベタイン系界面活性剤及びノニオン系界面活性剤のみが界面活性剤として用いられる。
【０１５１】
本発明において、界面活性剤は、後述する色材の乳化分散を必用とする場合、及び表面張力調整剤として用いる場合にも使用するので、界面活性剤の更なる説明は、それぞれの項で加えることとする。
本発明のインクジェット記録用インクは、水性媒体中に前記のアゾ染料と界面活性剤を溶解および／または分散させることによって作製することができる。本発明における「水性媒体」とは、水又は水と少量の水混和性有機溶剤との混合物に、必要に応じて湿潤剤、安定剤、防腐剤等の添加剤を添加したものを意味する。
【０１５２】
本発明において用いることができる水混和性有機溶剤の例には、アルコール（例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、グリコール誘導体（例えば、エチレングリコールモノメチルエーテル、エチレングリコールモノエチルエーテル、エチレングリコールモノブチルエーテル、ジエチレングルコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングルコールモノメチルエーテル、エチレングリコールジアセテート、エチレングルコールモノメチルエーテルアセテート、トリエチレングリコールモノメチルエーテル、トリエチレングリコールモノエチルエーテル、エチレングリコールモノフェニルエーテル）、アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）およびその他の極性溶媒（例えば、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン）が挙げられる。  尚、前記水混和性有機溶剤は、２種類以上を併用してもよい。
【０１５３】
前記アゾ染料が油溶性染料の場合は、該油溶性染料を高沸点有機溶媒中に溶解させ、水性媒体中に乳化分散させることによって調製することができる。
本発明に用いられる高沸点有機溶媒の沸点は１５０℃以上であるが、好ましくは１７０℃以上である。
【０１５４】
例えば、フタル酸エステル類（例えば、ジブチルフタレート、ジオクチルフタレート、ジシクロへキシルフタレート、ジ−２−エチルヘキシルフタレート、デシルフタレート、ビス（２，４−ジ−ｔｅｒｔ−アミルフェニル）イソフタレート、ビス（１，１−ジエチルプロピル）フタレート）、リン酸又はホスホンのエステル類（例えば、ジフェニルホスフェート、トリフェニルホスフェート、トリクレジルホスフェート、２−エチルヘキシルジフェニルホスフェート、ジオクチルブチルホスフェート、トリシクロヘキシルホスフェート、トリ−２−エチルヘキシルホスフェート、トリドデシルホスフェート、ジ−２−エチルヘキシルフェニルホスフェート）、安息香酸エステル酸（例えば、２−エチルヘキシルベンゾエート、２，４−ジクロロベンゾエート、ドデシルベンゾエート、２−エチルヘキシル−ｐ−ヒドロキシベンゾエート）、アミド類（例えば、Ｎ，Ｎ−ジエチルドデカンアミド、Ｎ，Ｎ−ジエチルラウリルアミド）、アルコール類またはフェノール類（イソステアリルアルコール、２，４−ジ−ｔｅｒｔ−アミルフェノールなど）、脂肪族エステル類（例えば、コハク酸ジブトキシエチル、コハク酸ジ−２−エチルヘキシル、テトラデカン酸２−ヘキシルデシル、クエン酸トリブチル、ジエチルアゼレート、イソステアリルラクテート、トリオクチルシトレート）、アニリン誘導体（Ｎ，Ｎ−ジブチル−２−ブトキシ−５−ｔｅｒｔ−オクチルアニリンなど）、塩素化パラフィン類（塩素含有量１０％〜８０％のパラフィン類）、トリメシン酸エステル類（例えば、トリメシン酸トリブチル）、ドデシルベンゼン、ジイソプロピルナフタレン、フェノール類（例えば、２，４−ジ−ｔｅｒｔ−アミルフェノール、４−ドデシルオキシフェノール、４−ドデシルオキシカルボニルフェノール、４−（４−ドデシルオキシフェニルスルホニル）フェノール）、カルボン酸類（例えば、２−（２，４−ジ−ｔｅｒｔ−アミルフェノキシ酪酸、２−エトキシオクタンデカン酸）、アルキルリン酸類（例えば、ジ−２（エチルヘキシル）リン酸、ジフェニルリン酸）などが挙げられる。高沸点有機溶媒は油溶性染料に対して質量比で０．０１〜３倍量、好ましくは０．０１〜１．０倍量で使用できる。
【０１５５】
これらの高沸点有機溶媒は単独で使用しても、数種の混合〔例えばトリクレジルホスフェートとジブチルフタレート、トリオクチルホスフェートとジ（２−エチルヘキシル）セバケート、ジブチルフタレートとポリ（Ｎ−ｔ−ブチルアクリルアミド）〕で使用してもよい。
【０１５６】
本発明において用いられる高沸点有機溶媒の前記以外の化合物例及び／またはこれら高沸点有機溶媒の合成方法は例えば米国特許第２，３２２，０２７号、同第２，５３３，５１４号、同第２，７７２，１６３号、同第２，８３５，５７９号、同第３，５９４，１７１号、同第３，６７６，１３７号、同第３，６８９，２７１号、同第３，７００，４５４号、同第３，７４８，１４１号、同第３，７６４，３３６号、同第３，７６５，８９７号、同第３，９１２，５１５号、同第３，９３６，３０３号、同第４，００４，９２８号、同第４，０８０，２０９号、同第４，１２７，４１３号、同第４，１９３，８０２号、同第４，２０７，３９３号、同第４，２２０，７１１号、同第４，２３９，８５１号、同第４，２７８，７５７号、同第４，３５３，９７９号、同第４，３６３，８７３号、同第４，４３０，４２１号、同第４，４３０，４２２号、同第４，４６４，４６４号、同第４，４８３，９１８号、同第４，５４０，６５７号、同第４，６８４，６０６号、同第４，７２８，５９９号、同第４，７４５，０４９号、同第４，９３５，３２１号、同第５，０１３，６３９号、欧州特許第２７６，３１９Ａ号、同第２８６，２５３Ａ号、同第２８９，８２０Ａ号、同第３０９，１５８Ａ号、同第３０９，１５９Ａ号、同第３０９，１６０Ａ号、同第５０９，３１１Ａ号、同第５１０，５７６Ａ号、東独特許第１４７，００９号、同第１５７，１４７号、同第１５９，５７３号、同第２２５，２４０Ａ号、英国特許第２，０９１，１２４Ａ号、特開昭４８−４７３３５号、同５０−２６５３０号、同５１−２５１３３号、同５１−２６０３６号、同５１−２７９２１号、同５１−２７９２２号、同５１−１４９０２８号、同５２−４６８１６号、同５３−１５２０号、同５３−１５２１号、同５３−１５１２７号、同５３−１４６６２２号、同５４−９１３２５号、同５４−１０６２２８号、同５４−１１８２４６号、同５５−５９４６４号、同５６−６４３３３号、同５６−８１８３６号、同５９−２０４０４１号、同６１−８４６４１号、同６２−１１８３４５号、同６２−２４７３６４号、同６３−１６７３５７号、同６３−２１４７４４号、同６３−３０１９４１号、同６４−９４５２号、同６４−９４５４号、同６４−６８７４５号、特開平１−１０１５４３号、同１−１０２４５４号、同２−７９２号、同２−４２３９号、同２−４３５４１号、同４−２９２３７号、同４−３０１６５号、同４−２３２９４６号、同４−３４６３３８号等の各公報に記載されている。
【０１５７】
上記高沸点有機溶媒は、油溶性染料に対し、質量比で０．０１〜３．０倍量、好ましくは０．０１〜１．０倍量で使用する。
【０１５８】
本発明では油溶性染料や高沸点有機溶媒は、水性媒体中に乳化分散して用いられる。乳化分散の際、乳化性の観点から場合によっては低沸点有機溶媒を用いることができる。低沸点有機溶媒としては、常圧で沸点約３０℃以上１５０℃以下の有機溶媒である。例えばエステル類（例えばエチルアセテート、ブチルアセテート、エチルプロピオネート、β−エトキシエチルアセテート、メチルセロソルブアセテート）、アルコール類（例えばイソプロピルアルコール、ｎ−ブチルアルコール、セカンダリーブチルアルコール）、ケトン類（例えばメチルイソブチルケトン、メチルエチルケトン、シクロヘキサノン）、アミド類（例えばジメチルホルムアミド、Ｎ−メチルピロリドン）、エーテル類（例えばテトラヒドロフラン、ジオキサン）等が好ましく用いられるが、これに限定されるものではない。
【０１５９】
乳化分散は、高沸点有機溶媒と場合によっては低沸点有機溶媒の混合溶媒に染料を溶かした油相を、水を主体とした水相中に分散し、油相の微小油滴を作るために行われる。この際、水相、油相のいずれか又は両方に、後述する界面活性剤、湿潤剤、染料安定化剤、乳化安定剤、防腐剤、防黴剤等の添加剤を必要に応じて添加することができる。
乳化法としては水相中に油相を添加する方法が一般的であるが、油相中に水相を滴下して行く、いわゆる転相乳化法も好ましく用いることができる。なお、本発明に用いるアゾ染料が水溶性で、添加剤が油溶性の場合にも前記乳化法を適用し得る。
【０１６０】
乳化分散する際には、種々の界面活性剤を用いることができる。例えば脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキシド界面活性剤であるＳＵＲＦＹＮＯＬＳ（ＡｉｒＰｒｏｄｕｃｔｓ＆Ｃｈｅｍｉｃａｌｓ社）も好ましく用いられる。また、Ｎ，Ｎ−ジメチル−Ｎ−アルキルアミンオキシドのようなアミンオキシド型の両性界面活性剤等も好ましい。更に、特開昭５９−１５７，６３６号の第（３７）〜（３８）頁、リサーチ・ディスクロージャーＮｏ．３０８１１９（１９８９年）記載の界面活性剤として挙げたものも使うことができる。
【０１６１】
また、乳化直後の安定化を図る目的で、上記界面活性剤と併用して水溶性ポリマーを添加することもできる。水溶性ポリマーとしては、ポリビニルアルコール、ポリビニルピロリドン、ポリエチレンオキサイド、ポリアクリル酸、ポリアクリルアミドやこれらの共重合体が好ましく用いられる。また多糖類、カゼイン、ゼラチン等の天然水溶性ポリマーを用いるのも好ましい。さらに染料分散物の安定化のためには実質的に水性媒体中に溶解しないアクリル酸エステル類、メタクリル酸エステル類、ビニルエステル類、アクリルアミド類、メタクリルアミド類、オレフィン類、スチレン類、ビニルエーテル類、アクリロニトリル類の重合により得られるポリビニルやポリウレタン、ポリエステル、ポリアミド、ポリウレア、ポリカーボネート等も併用することができる。これらのポリマーは−ＳＯ3-、−ＣＯＯ-を含有していること好ましい。これらの実質的に水性媒体中に溶解しないポリマーを併用する場合、高沸点有機溶媒の２０質量％以下用いられることが好ましく、１０質量％以下で用いられることがより好ましい。
【０１６２】
乳化分散により油溶性染料や高沸点有機溶媒を分散させて水性インクとする場合、特に重要なのはその粒子サイズのコントロールである。インクジェットにより画像を形成した際の、色純度や濃度を高めるには平均粒子サイズを小さくすることが必須である。体積平均粒径で好ましくは１μｍ以下、より好ましくは５〜１００ｎｍである。
【０１６３】
前記分散粒子の体積平均粒径および粒度分布の測定方法には静的光散乱法、動的光散乱法、遠心沈降法のほか、実験化学講座第４版の４１７〜４１８ページに記載されている方法を用いるなど、公知の方法で容易に測定することができる。例えば、インク中の粒子濃度が０．１〜１質量％になるように蒸留水で希釈して、市販の体積平均粒径測定機（例えば、マイクロトラックＵＰＡ（日機装（株）製））で容易に測定できる。更に、レーザードップラー効果を利用した動的光散乱法は、小サイズまで粒径測定が可能であり特に好ましい。
体積平均粒径とは粒子体積で重み付けした平均粒径であり、粒子の集合において、個々の粒子の直径にその粒子の体積を乗じたものの総和を粒子の総体積で割ったものである。体積平均粒径については「高分子ラテックスの化学（室井  宗一著  高分子刊行会）」の１１９ページに記載がある。
【０１６４】
また、粗大粒子の存在も印刷性能に非常に大きな支障となることが明らかになった。即ち、粗大粒子がヘッドのノズルを詰まらせる、あるいは詰まらないまでも汚れを形成することによってインクの不吐出や吐出のヨレを生じ、印刷性能に重大な影響を与えることが分かった。これを防止するためには、インクにした時にインク１μｌ中で５μｍ以上の粒子を１０個以下、１μｍ以上の粒子を１０００個以下に抑えることが重要である。
これらの粗大粒子を除去する方法としては、公知の遠心分離法、精密濾過法等を用いることができる。これらの分離手段は乳化分散直後に行ってもよいし、乳化分散物に湿潤剤や界面活性剤等の各種添加剤を加えた後、インクカートリッジに充填する直前でもよい。
平均粒子サイズを小さくし、且つ粗大粒子を無くす有効な手段として、機械的な乳化装置を用いることができる。
【０１６５】
乳化装置としては、簡単なスターラーやインペラー撹拌方式、インライン撹拌方式、コロイドミル等のミル方式、超音波方式など公知の装置を用いることができるが、高圧ホモジナイザーの使用は特に好ましいものである。
高圧ホモジナイザーは、米国特許第４５３３２５４号、特開平６−４７２６４号等に詳細な機構が記載されているが、市販の装置としては、ゴーリンホモジナイザー（Ａ．Ｐ．Ｖ  ＧＡＵＬＩＮ  ＩＮＣ．）、マイクロフルイダイザー（ＭＩＣＲＯＦＬＵＩＤＥＸ  ＩＮＣ．）、アルティマイザー（株式会社スギノマシン）等がある。
また、近年になって米国特許第ＵＳ−５７２０５５１号に記載されているような、超高圧ジェット流内で微粒子化する機構を備えた高圧ホモジナイザーは本発明の乳化分散に特に有効である。この超高圧ジェット流を用いた乳化装置の例として、ＤｅＢＥＥ２０００（ＢＥＥ  ＩＮＴＥＲＮＡＴＩＯＮＡＬ  ＬＴＤ．）があげられる。
【０１６６】
高圧乳化分散装置で乳化する際の圧力は５０ＭＰａ以上であり、好ましくは６０ＭＰａ以上、更に好ましくは１８０ＭＰａ以上である。
例えば、撹拌乳化機で乳化した後、高圧ホモジナイザーを通す等の方法で２種以上の乳化装置を併用するのは特に好ましい方法である。また、一度これらの乳化装置で乳化分散した後、湿潤剤や界面活性剤等の添加剤を添加した後、カートリッジにインクを充填する間に再度高圧ホモジナイザーを通過させる方法も好ましい方法である。
【０１６７】
高沸点有機溶媒に加えて低沸点有機溶媒を含む場合、乳化物の安定性及び安全衛生上の観点から低沸点溶媒を除去するのが好ましい。低沸点溶媒を除去する方法は溶媒の種類に応じて各種の公知の方法を用いることができる。即ち、蒸発法、真空蒸発法、限外濾過法等である。この低沸点有機溶剤の除去工程は乳化直後、できるだけ速やかに行うのが好ましい。
【０１６８】
本発明で得られたインクジェット記録用インクには、インクの噴射口での乾操による目詰まりを防止するための乾燥防止剤、インクを紙によりよく浸透させるための浸透促進剤、紫外線吸収剤、酸化防止剤、粘度調整剤、表面張力調整剤、分散剤、分散安定剤、防黴剤、防錆剤、ｐＨ調整剤、消泡剤、キレート剤等の添加剤を適宜選択して適量使用することができる。
【０１６９】
本発明に使用される乾燥防止剤としては水より蒸気圧の低い水溶性有機溶剤が好ましい。具体的な例としてはエチレングリコール、プロピレングリコール、ジエチレングリコール、ポリエチレングリコール、チオジグリコール、ジチオジグリコール、２−メチル−１，３−プロパンジオール、１，２，６−ヘキサントリオール、アセチレングリコール誘導体、グリセリン、トリメチロールプロパン等に代表される多価アルコール類、エチレングリコールモノメチル（又はエチル）エーテル、ジエチレングリコールモノメチル（又はエチル）エーテル、トリエチレングリコールモノエチル（又はブチル）エーテル等の多価アルコールの低級アルキルエーテル類、２−ピロリドン、Ｎ−メチルー２−ピロリドン、１，３−ジメチル−２−イミダゾリジノン、Ｎ−エチルモルホリン等の複素環類、スルホラン、ジメチルスルホキシド、３−スルホレン等の含硫黄化合物、ジアセトンアルコール、ジエタノールアミン等の多官能化合物、尿素誘導体が挙げられる。これらのうちグリセリン、ジエチレングリコール等の多価アルコールがより好ましい。また上記の乾燥防止剤は単独で用いてもよいし２種以上併用してもよい。これらの乾燥防止剤はインク中に１０〜５０質量％含有することが好ましい。
本発明に使用される浸透促進剤としてはエタノール、イソプロパノール、ブタノール、ジ（トリ）エチレングリコールモノブチルエーテル、１，２−ヘキサンジオール等のアルコール類やラウリル硫酸ナトリウム、オレイン酸ナトリウムやノニオン性界面活性剤等を用いることができる。これらはインク中に１０〜３０質量％含有すれば充分な効果があり、印字の滲み、紙抜け（プリントスルー）を起こさない添加量の範囲で使用するのが好ましい。
【０１７０】
本発明で画像の保存性を向上させるために使用される紫外線吸収剤としては特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンゾオキサゾール系化合物に代表される紫外線を吸収して蛍光を発する化合物、いわゆる蛍光増白剤も用いることができる。
【０１７１】
本発明では、画像の保存性を向上させるために使用される酸化防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、複素環類などがあり、金属錯体としてはニッケル錯体、亜鉛錯体などがある。より具体的にはリサーチディスクロージャーＮｏ．１７６４３の第ＶＩＩのＩないしＪ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や特開昭６２−２１５２７２号公報の１２７頁〜１３７頁に記載された代表的化合物の一般式及び化合物例に含まれる化合物を使用することができる。
【０１７２】
本発明のインクは腐食を防止する観点から、さらにインク中に防腐剤を含有するということが好ましい。本発明において、防腐剤とは微生物、特に細菌・真菌（カビ）の発生、発育を防止する機能を有するものを言う（防黴剤とも言う）。
本発明に有用な防腐剤として、以下のものが効果的に使用することができる。
【０１７３】
無機系の防腐剤として重金属イオンを含有する（銀イオン含有物や銅錯体化合物など）やそれらの塩類をまず挙げることができる。有機系の防腐剤としては、第４級アンモニウム塩（テトラブチルアンモニウムクロリド、ジイソプロピルアンモニウムニトライト、セチルピリジニウムクロリド、ジシクロヘキシルアンモニウムニトライト、ベンジルトリメチルアンモニウムクロリド等）、フェノール誘導体（フェノール、クレゾール、ブチルフェノール、キシレノール、ビスフェノール等）、フェノキシエーテル誘導体（フェノキシエタノール等）、複素環化合物（ベンゾトリアゾール、プロキセル（ＰＲＯＸＥＬ）、１，２−ベンゾイソチアゾリン−３−オン等）、酸アミド類、カルバミン酸、カルバメート類、アミジン・グアニジン類、ピリジン類（ナトリウムピリジンチオン−１−オキシド等）、ジアジン類、トリアジン類、ピロール・イミダゾール類、オキサゾール・オキサジン類、四硝酸ペンタエリスリトール、ベンゾトリアゾール類、チアゾール・チアジアジン類、チオ尿素類、チオセミカルバジド類、ジチオカルバメート類、スルフィド類、スルホキシド類、スルホン類、スルファミド類、抗生物質類（ペニシリン、テトラサイクリン等）、デヒドロ酢酸ナトリウム、安息香酸ナトリウム、ｐ−ヒドロキシ安息香酸エチルエステル、酸性亜硫酸塩、チオ硫酸ナトリウム、チオグリコール酸アンモン、１，２−ベンゾイソチアゾリン−３−オンおよびその塩など種々のものが使用可能である。防腐剤としては防菌防微ハンドブック（技報堂：１９８６）、防菌防黴剤事典（日本防菌防黴学会事典編集委員会編）等に記載のものも使用できる。
【０１７４】
これらの化合物は油溶性の構造、水溶性の構造のものなど種々のものが使用可能であるが、好ましくは水溶性の化合物である。特に好ましくは１，２−ベンゾイソチアゾリン−３−オン（例えばプロキセルTR）やベンゾトリアゾールを使用できる。
中でも本発明では、これらの防腐剤を２種以上併用して使用すると、インクの長期間の経時における吐出安定性が格段に向上し、本発明の効果がさらに良好に発揮される。２種以上組み合わせる場合、その防腐剤種は異なった化学構造の骨格を有するものであることが好ましい。また、２種以上の防腐剤を含有する場合には、少なくとも１種の防腐剤が、複素環化合物であることが好ましい。例えば、複素環化合物と抗生物質の組み合わせ、複素環化合物とフェノール誘導体との組み合わせ等が好ましく挙げられる。２種の防腐剤を組み合わせる場合の含有量比は、特に限定的ではないが、防腐剤Ａ／防腐剤Ｂ＝０．０１〜１００（質量比）の範囲が好ましい。
防腐剤の添加量は広い範囲で使用可能であるが、０．００１〜１０質量％、好ましくは、０．０２〜５．００質量％、より好ましくは、０．１〜５質量％である。
【０１７５】
本発明に使用されるｐH調整剤はｐＨ調節、分散安定性付与などの点で好適に使用する事ができ、２５℃でのインクのｐＨが４〜１１に調整されていることが好ましい。ｐＨが４未満である場合は染料の溶解性が低下してノズルが詰まりやすく、１１を超えると耐水性が劣化する傾向がある。ｐＨ調製剤としては、塩基性のものとして有機塩基、無機アルカリ等が、酸性のものとして有機酸、無機酸等が挙げられる。
【０１７６】
前記有機塩基としてはトリエタノールアミン、ジエタノールアミン、Ｎ−メチルジエタノールアミン、ジメチルエタノールアミンなどが挙げられる。前記無機アルカリとしては、アルカリ金属の水酸化物（例えば、水酸化ナトリウム、水酸化リチウム、水酸化カリウムなど）、炭酸塩（例えば、炭酸ナトリウム、炭酸水素ナトリウムなど）、アンモニウムなどが挙げられる。また、前記有機酸としては酢酸、プロピオン酸、トリフルオロ酢酸、アルキルスルホン酸などが挙げられる。前記無機酸としては、塩酸，硫酸、リン酸などが挙げられる。
【０１７７】
本発明の前記一般式（１）で表される少なくとも１種の染料を、媒体中に溶解及び／又は分散してなるインクジェット記録用インクの製造方法では、少なくとも超音波振動を加える工程によって効果的に安定化が図られて吐出安定性や色相が向上する。
【０１７８】
また、本発明では、インクが記録ヘッドで加えられる圧力によって気泡を発生することを防止するため、記録ヘッドで受けるエネルギーと同等かそれ以上の超音波エネルギーを予めインクの製造工程中に加えて気泡を除去しておく製造方法が好ましい。
超音波振動は、通常、振動数２０ｋＨｚ以上、好ましくは４０ｋＨｚ以上、より好ましくは５０ｋＨｚの超音波である。また超音波振動により液に加えられるエネルギーは、通常、２×１０７Ｊ／ｍ３以上、好ましくは５×１０７Ｊ／ｍ３以上、より好ましくは１×１０８Ｊ／ｍ３以上である。また、超音波振動の付与時間としては、通常、１０分〜１時間程度である。
【０１７９】
超音波振動を加える工程は、染料を媒体に投入以降であれば何時行っても効果を示す。完成後のインクを一旦保存した後に超音波振動を加えても効果を示す。しかし、染料を媒体中に溶解及び／又は分散する際に超音波振動を付加することが、気泡除去の効果がより大きく、尚且つ超音波振動により色素の媒体への溶解及び／又は分散が促進されるので好ましい。
即ち、上記少なくとも超音波振動を加える工程は、染料を媒体中に溶解及び／又は分散する工程中でもその工程後であってもいずれの場合にも行うことができる。換言すれば、上記少なくとも超音波振動を加える工程は、インク調製後に製品となるまでの間に任意に１回以上行うことができる。
【０１８０】
本発明においては、媒体中に溶解及び／又は分散する工程は、前記染料を全媒体の一部分の媒体に溶解する工程と、残余の媒体を混合する工程とを有することが好ましく、上記少なくともいずれかの工程に超音波振動を加えることが好ましく、染料を全媒体の一部分の媒体に溶解する工程に少なくとも超音波振動を加えることが更に好ましい。
上記残余の溶媒を混合する工程は、単独工程でも複数工程でもよい。
また、本発明によるインク製造に加熱脱気あるいは減圧脱気を併用することは、インク中の気泡除去の効果を上げるので好ましい。加熱脱気工程あるいは減圧脱気工程は、残余の媒体を混合する工程と同時またはその後に実施することが好ましい。
超音波振動を加える工程における、超音波振動発生手段としては、超音波分散機等の公知の装置が挙げられる。
【０１８１】
本発明において、媒体としては水もしくは水と水混和性有機溶剤との混合溶剤である水性媒体が好ましい。
本発明に係るインクを作製する際には、濾過により固形分であるゴミを除く工程がインクの安定性向上及び色相の向上のために重要である。この作業には濾過フィルターを使用するが、このときの濾過フィルターとは、有効径が１μｍ以下、好ましくは０．３μｍ以下、０．０５μｍ以上、特に好ましくは０．３μｍ以下、０．２５μｍ以上のフィルターを用いる。フィルターの材質としては種々のものが使用できるが、特に水溶性染料のインクの場合には、水系の溶媒用に作製されたフィルターを用いるのが好ましい。中でも特にゴミの出にくい、ポリマー材料で作製されたジャケット型のフィルターを用いるのが好ましい。濾過法としては送液によりジャケットを通過させてもよいし、加圧濾過、減圧濾過のいずれの方法も利用可能である。
また、濾過後には溶液中に空気を取り込むことが多い。この空気に起因する泡もインクジェット記録において画像の乱れの原因となることが多いため、本発明では脱泡工程を別途設ける。脱泡の方法としては、超音波脱泡や減圧脱泡等種々の方法が利用可能である。
【０１８２】
これらの作業は、作業時におけるゴミの混入を防ぐため、クリーンルームもしくはクリーンベンチなどのスペースを利用して行うことが好ましい。本発明では特にクリーン度としてクラス１００以下のスペースにおいてこの作業を行う。
本発明のインク粘度は、２５℃において１〜３０ｍＰａ・sであることが好ましい。更に好ましくは２〜１５ｍＰａ・sであり、特に好ましくは２〜１０ｍＰａ・sである。３０ｍＰａ・sを超えると記録画像の定着速度が遅くなり、吐出性能も低下する。１ｍＰａ・s未満では、記録画像がにじむために品位が低下する。
【０１８３】
粘度の調整はインク溶剤の添加量で任意に調整可能である。インク溶剤として例えば、グリセリン、ジエチレングリコール、トリエタノールアミン、２−ピロリドン、ジエチレングリコールモノブチルエーテル、トリエチレングリコールモノブチルエーテルなどがある。
【０１８４】
粘度の測定方法は、ＪＩＳ  Ｚ８８０３に詳細に記載されているが、市販品の粘度計にて簡便に測定することができる。例えば、回転式では東京計器のＢ型粘度計、Ｅ型粘度計がある。本発明では山一電機の振動式ＶＭ−１００Ａ−Ｌ型により２５℃にて測定した。粘度の単位はパスカル秒（Ｐａ・s）であるが、通常はミリパスカル秒（ｍＰａ・s）を用いる。
【０１８５】
本発明で用いるインクジェット記録用インクは、２５℃での静的表面張力が２５〜５０ｍＮ／ｍであることが好ましい。さらに、２５℃での静的表面張力が３０〜４０ｍＮ／ｍであることが好ましい。インクの静的表面張力が５０ｍＮ／ｍを超えると、吐出安定性の低下、混色時の滲みの発生、ひげ発生（例えば、シアンベタ上に黒文字を印字した場合などに、黒文字からヒモ状に滲みが発生することがある）などのように印字品質が著しく低下する。また、インクの静的表面張力が２５ｍＮ／ｍに満たないと、吐出時にハード表面へのインクの付着等が生じ、印字不良となる場合がある。
【０１８６】
静的表面張力測定法としては、毛細管上昇法、滴下法、吊環法等が知られているが、本発明においては、垂直板法を静的表面張力測定法として用いる。垂直板法の原理を以下に示す。
ガラスまたは白金の薄い板を液体中に一部分浸して垂直に吊るすと、液面と板との接する部分に表面張力が下向きに働く。この表面張力は板を吊るしている上向きの力と釣り合わせることで測定することができる。
本発明で用いるインクの動的表面張力は、２５℃において２５〜５０ｍＮ／ｍであることが好ましく、３０〜４０ｍＮ／ｍであることがさらに好ましい。動的表面張力が５０ｍＮ／ｍを超えると、吐出安定性の低下、混色時の滲みの発生、ひげ発生などのように印字品質が著しく低下する。また、２５ｍＮ／ｍに満たないと、吐出時にハード表面へのインクの付着等が生じ、印字不良となる場合がある。
【０１８７】
動的表面張力測定方法としては、例えば「新実験化学講座、第１８巻、界面とコロイド」［（株）丸善、６９〜９０頁（１９７７）］に記載されるように、振動ジェット法、メニスカス落下法、最大泡圧法等が知られており、さらに、特開平３−２０６４号公報に記載されているような液膜破壊法が知られているが、本発明においては、動的表面張力測定法として、バブルプレッシャー差圧法を用いている。以下、その測定原理と方法を説明する。
界面活性剤を添加した溶液を撹拌して均一とし、溶液中で気泡を生成すると、新たな気−液界面が生成され、溶液中の界面活性剤分子が水の表面に一定速度で集まってくる。バブルレート（気泡の生成速度）を変化させたとき、生成速度が遅くなれば、より多くの界面活性剤が泡の表面に集まってくるため、泡がはじける直前の最大泡圧が小さくなり、バブルレートに対する最大泡圧（表面張力）が検出できる。本発明における動的表面張力測定では、大小２本のプローブを用いて溶液中で気泡を生成させ、２本のプローブの最大泡圧状態での差圧を測定し、動的表面張力を算出する。
【０１８８】
静的表面張力および動的表面張力の調整は、表面張力調整剤を用いることにより行うことができ、上記範囲とすることが可能である。
表面張力調整剤としては、ノニオン、カチオンあるいはアニオン界面活性剤が挙げられる。例えばアニオン系界面活性剤としては、脂肪酸塩、アルキル硫酸エステル塩、アルキルアリールスルホン酸塩（例えば、アルキルベンゼンスルホン酸塩、石油スルホン酸塩など）、ジアルキルスルホコハク酸塩、アルキルリン酸エステル塩、ナフタレンスルホン酸ホルマリン縮合物、ポリオキシエチレンアルキル硫酸エステル塩等を挙げることができ、ノニオン系界面活性剤としては、アセチレン系ジオール（例えば、２，４，７，９−テトラメチル−５−デシン−４，７−ジオールなど）、ポリオキシエチレンアルキルエーテル（例えば、ポリオキシエチレンデシルエーテル、アセチレン系ジオールのエチレンオキシド付加物など）、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等を挙げることができる。なかでも、一般式（１）のマゼンタ染料と組み合わせて用いるのが好ましいとして前記した一般式（I）、（II）又は（III）で表されるノニオン系界面活性剤、とくに一般式（II）又は（III）で表されるノニオン系界面活性剤が静的表面張力および動的表面張力の調整目的の表面張力調整剤にも好ましい。
【０１８９】
また、Ｎ，Ｎ−ジメチル−Ｎ−アルキルアミンオキシドのようなアミンオキシド型の両性界面活性剤等も好ましい。更に、特開昭５９−１５７，６３６号の第(３７)〜(３８)頁、リサーチディスクロージャーＮｏ．３０８１１９(１９８９年)記載の界面活性剤として挙げたものも使うことができる。
インクからの析出や分離が起こりにくく、発泡性が少なくいことから、疎水性部位が２本鎖あるいは疎水性部位が分岐しているアニオン性界面活性剤や疎水性部位の中央付近に親水性基を有するアニオン性またはノニオン性界面活性剤、疎水性部位が２本鎖あるいは疎水性部位が分岐しているノニオン性界面活性剤（一般式（II）又は（III）で表されるノニオン系界面活性剤がその例）が好ましい。
この目的のための界面活性剤の含有量は、インクに対して０．００１〜１５質量％、好ましくは０．００５〜１０質量％、更に好ましくは０．０１〜５質量である。
【０１９０】
本発明のインクは、２５℃で測定した電導度が０．０１〜１０Ｓ／ｍの範囲であることが好ましい。特に好ましい範囲は電導度が０．０５〜５Ｓ／ｍの範囲である。
電導度の測定方法は、市販の飽和塩化カリウムを用いた電極法により測定可能である。
【０１９１】
電導度は主に水系溶液中のイオン濃度によってコントロール可能である。塩濃度が高い場合、限外濾過膜などを用いて脱塩することができる。また、塩等を加えて電導度調節する場合、種々の有機物塩や無機物塩を添加することにより調節することができる。
無機物塩としては、ハロゲン化物カリウム、ハロゲン化物ナトリウム、硫酸ナトリウム、硫酸カリウム、硫酸水素ナトリウム、硫酸水素カリウム、硝酸ナトリウム、硝酸カリウム、炭酸水素ナトリウム、炭酸水素カリウム、リン酸ナトリウム、リン酸１水素ナトリウム、ホウ酸、リン酸２水素カリウム、リン酸２水素ナトリウム等の無機化合物や、酢酸ナトリウム、酢酸カリウム、酒石酸カリウム、酒石酸ナトリウム、安息香酸ナトリウム、安息香酸カリウム、p-トルエンスルホン酸ナトリウム、サッカリン酸カリウム、フタル酸カリウム、ピコリン酸ナトリウム等の有機化合物を使用することもできる。
また、後述される水性媒体の成分を選定することによっても電導度を調整し得る。
【０１９２】
本発明のインクは、２５℃の粘度に対する１０℃の粘度の変化率が、２５０％以下であり、かつ２５℃の表面張力に対する１０℃の表面張力の変化率が１３０％以下であることが好ましい。粘度の変化率が２５０％を超えるか、又は表面張力の変化率が１３０％を超えると、吐出安定性が著しく低下してしまう。さまざまな環境下でも安定な吐出性能を得るためには物性変動ができるだけ少ないことが非常に重要である。特に粘度、表面張力は厳密にコントロールされなければならない。
２５℃の粘度に対する１０℃の粘度の変化率は、より好ましくは２００％以下であり、更に１９０％以下であることが好ましく、２５℃での表面張力に対する１０℃の表面張力の変化率は、より好ましくは１２５％以下であり、更に１２０％以下であることが好ましい。
本発明において、２５℃の粘度に対する１０℃の粘度の変化率、及び２５℃の表面張力に対する１０℃の表面張力の変化率を算出するには以下の式を用いる。
【０１９３】
【数１】
0005144895.tif 000053
【０１９４】
本発明に係るマゼンタ染料を含有し、且つ上記した組成とインク物性を有するインクジェット記録用インクを用いた画像は、インクの滲みも低いレベルに抑制される。本発明の典型的な態様では、支持体上に白色無機顔料粒子を含有する受像層を有する受像材料に対するにじみが明視距離での目視検知出来ないレベルにある。また、ゼラチン含有硬化層を画像記録層とする受像材料に対しても、明視距離での目視検知不能のにじみレベルである。特に高湿、高温のもとで保存された場合にも、本発明に係るマゼンタインクによる描画像は、優れた滲み耐性を有している。
滲みの原因は、染料の性質のほかに、インクの物性調整や渇き防止のために添加されている補助溶媒、例えばグリセリン、ジエチレングリコ−ル、トリエチレングリコ−ルモノブチルエ−テルなどの含有量と種類、残留溶媒量、像構造、二次色（レッドとブル−）の重なり具合などの諸要因に係っている。インク処方において滲みを改良するには、染料の選択のほかに、補助溶媒量の減量、インクの表面張力の最適化（３０〜３７ｍN／ｍ、好ましくは３０〜３５ｍN／ｍ）が効果的である。
【０１９５】
滲みの程度は受像紙により異なるが、本発明のインクは受像紙の種類を変えても滲まないことにも特徴がある。インク処方設計により滲みを改良するためには染料の溶解度が低い溶剤を使用することが好ましい。一般式（１）の染料の場合、例えばグリセリン、ＰＦＧ（プロピレングリコ−ルモノプロピルエ−テル）を用いることが好ましい。滲みを改良するための別の方法としては媒染力を強化することであり，媒染のためのアンカ−化合物を導入することである。具体的にはベタイン化合物を用いることにより媒染剤と染料の相互作用強化をすることである。
【０１９６】
なお、インクジェット用インクの調製方法については、特開平５−１４８４３６号、同５−２９５３１２号、同７−９７５４１号、同７−８２５１５号、同７−１１８５８４号の各公報に詳細が記載されていて、本発明のインクジェット記録用インクの調製にも利用できる。
【０１９７】
本発明のインクによって描画される記録紙及び記録フィルムについて説明する。本発明では、公知の被記録材、即ち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載されているインクジェット専用紙、フィルム、電子写真共用紙、布帛、ガラス、金属、陶磁器等を用いることができる。
【０１９８】
以下に本発明のインクを用いてインクジェットプリントをするのに用いられる記録紙及び記録フィルムについて説明する。記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて従来の公知の顔料、バインダー、サイズ剤、定着剤、カチオン剤、紙力増強剤等の添加剤を混合し、長網抄紙機、円網抄紙機等の各種装置で製造されたもの等が使用可能である。支持体としては、これらの支持体の他に合成紙、プラスチックフィルムシートのいずれであってもよく、支持体の厚みは１０〜２５０μｍ、坪量は１０〜２５０ｇ／ｍ2が望ましい。
【０１９９】
支持体にそのまま受像層及びバックコート層を設けて本発明のインクの受像材料としてもよいし、デンプン、ポリビニルアルコール等でサイズプレスやアンカーコート層を設けた後、受像層及びバックコート層を設けて受像材料としてもよい。さらに支持体には、マシンカレンダー、ＴＧカレンダー、ソフトカレンダー等のカレンダー装置により平坦化処理を行ってもよい。
本発明では支持体としては、両面をポリオレフィン（例、ポリエチレン、ポリスチレン、ポリブテンおよびそれらのコポリマー）やポリエチレンテレフタレートでラミネートした紙およびプラスチックフイルムがより好ましく用いられる。ポリオレフィン中に、白色顔料（例、酸化チタン、酸化亜鉛）または色味付け染料（例、コバルトブルー、群青、酸化ネオジウム）を添加することが好ましい。
【０２００】
支持体上に設けられる受像層について述べる。受像層は、多孔質材料や水性バインダーが含有される。また、受像層には顔料を含むのが好ましく、顔料としては、白色顔料が好ましい。白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の無機白色顔料、スチレン系ピグメント、アクリル系ピグメント、尿素樹脂、メラミン樹脂等の有機顔料等が挙げられる。特に好ましくは、多孔性の白色無機顔料がよく、特に細孔面積が大きい合成非晶質シリカ等が好適である。合成非晶質シリカは、乾式製造法（気相法）によって得られる無水珪酸及び湿式製造法によって得られる含水珪酸のいずれも使用可能である。
【０２０１】
上記顔料を受像層に含有する記録紙としては、具体的には、特開平１０−８１０６４号、同１０−１１９４２３、同１０−１５７２７７、同１０−２１７６０１、同１１−３４８４０９、特開２００１−１３８６２１、同２０００−４３４０１、同２０００−２１１２３５、同２０００−３０９１５７、同２００１−９６８９７、同２００１−１３８６２７、特開平１１−９１２４２、同８−２０８７、同８−２０９０、同８−２０９１、同８−２０９３、同８−１７４９９２、同１１−１９２７７７、特開２００１−３０１３１４などの各公報に開示されたものを用いることができる。
【０２０２】
受像層に含有される水性バインダーとしては、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは単独または２種以上併用して用いることができる。本発明においては、これらの中でも特にポリビニルアルコール、シラノール変性ポリビニルアルコールが顔料に対する付着性、インク受容層の耐剥離性の点で好適である。
受像層は、顔料及び水性バインダーの他に媒染剤、耐水化剤、耐光性向上剤、耐ガス性向上剤、界面活性剤、硬膜剤その他の添加剤を含有することができる。
受像層中に添加する媒染剤は、不動化されていることが好ましい。そのためには、ポリマー媒染剤が滲み防止の点で好ましく用いられる。
【０２０３】
ポリマー媒染剤については、特開昭４８−２８３２５号、同５４−７４４３０号、同５４−１２４７２６号、同５５−２２７６６号、同５５−１４２３３９号、同６０−２３８５０号、同６０−２３８５１号、同６０−２３８５２号、同６０−２３８５３号、同６０−５７８３６号、同６０−６０６４３号、同６０−１１８８３４号、同６０−１２２９４０号、同６０−１２２９４１号、同６０−１２２９４２号、同６０−２３５１３４号、特開平１−１６１２３６号の各公報、米国特許２４８４４３０号、同２５４８５６４号、同３１４８０６１号、同３３０９６９０号、同４１１５１２４号、同４１２４３８６号、同４１９３８００号、同４２７３８５３号、同４２８２３０５号、同４４５０２２４号の各明細書に記載がある。特開平１−１６１２３６号公報の２１２〜２１５頁に記載のポリマー媒染剤を含有する受像材料が特に好ましい。同公報記載のポリマー媒染剤を用いると、滲みのない優れた画質の画像が得られ、かつ画像の耐光性が改善される。
耐水化剤は、画像の耐水化に有効であり、これらの耐水化剤としては、特にカチオン樹脂が望ましい。このようなカチオン樹脂としては、ポリアミドポリアミンエピクロルヒドリン、ポリエチレンイミン、ポリアミンスルホン、ジメチルジアリルアンモニウムクロライド重合物、カチオンポリアクリルアミド等が挙げられる。これらのカチオン樹脂の含有量は、インク受容層の全固形分に対して１〜１５質量％が好ましく、特に３〜１０質量％であることが好ましい。
【０２０４】
耐光性向上剤、耐ガス性向上剤としては、フェノール化合物、ヒンダードフェノール化合物、チオエーテル化合物、チオ尿素化合物、チオシアン酸化合物、アミン化合物、ヒンダードアミン化合物、ＴＥＭＰＯ化合物、ヒドラジン化合物、ヒドラジド化合物、アミジン化合物、ビニル基含有化合物、エステル化合物、アミド化合物、エーテル化合物、アルコール化合物、スルフィン酸化合物、糖類、水溶性還元性化合物、有機酸、無機酸、ヒドロキシ基含有有機酸、ベンゾトリアゾール化合物、ベンゾフェノン化合物、トリアジン化合物、ヘテロ環化合物、水溶性金属塩、有機金属化合物、金属錯体等があげられる。
これらの具体的な化合物例としては、特開平１０−１８２６２１号、特開２００１−２６０５１９号、特開２０００−２６０５１９号、特公平４−３４９５３号、特公平４−３４５１３号、特公平４−３４５１２号、特開平１１−１７０６８６号、特開昭６０−６７１９０号、特開平７−２７６８０８号、特開２０００−９４８２９号、特表平８−５１２２５８号、特開平１１−３２１０９０号等の各公報に記載のものがあげられる。
【０２０５】
界面活性剤は、塗布助剤、剥離性改良剤、スベリ性改良剤あるいは帯電防止剤として機能する。界面活性剤については、特開昭６２−１７３４６３号、同６２−１８３４５７号の各公報に記載がある。
界面活性剤の代わりに有機フルオロ化合物を用いてもよい。有機フルオロ化合物は、疎水性であることが好ましい。有機フルオロ化合物の例には、フッ素系界面活性剤、オイル状フッ素系化合物（例、フッ素油）および固体状フッ素化合物樹脂（例、四フッ化エチレン樹脂）が含まれる。有機フルオロ化合物については、特公昭５７−９０５３号（第８〜１７欄）、特開昭６１−２０９９４号、同６２−１３５８２６号の各公報に記載がある。
硬膜剤としては特開平１−１６１２３６号公報の２２２頁、特開平９−２６３０３６号、特開平１０−１１９４２３号、特開２００１−３１０５４７号の各公報に記載されている材料などを用いることが出来る。
その他の受像層に添加される添加剤としては、顔料分散剤、増粘剤、消泡剤、染料、蛍光増白剤、防腐剤、ｐＨ調整剤、マット剤、硬膜剤等が挙げられる。尚、インク受容層は１層でも２層でもよい。
記録紙及び記録フィルムには、バックコート層を設けることもでき、この層に添加可能な成分としては、白色顔料、水性バインダー、その他の成分が挙げられる。
【０２０６】
バックコート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が挙げられる。
バックコート層に含有される水性バインダーとしては、スチレン／マレイン酸塩共重合体、スチレン／アクリル酸塩共重合体、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。バックコート層に含有されるその他の成分としては、消泡剤、抑泡剤、染料、蛍光増白剤、防腐剤、耐水化剤等が挙げられる。
【０２０７】
インクジェット記録紙及び記録フィルムの構成層（バック層を含む）には、ポリマー微粒子分散物を添加してもよい。ポリマー微粒子分散物は、寸度安定化、カール防止、接着防止、膜のひび割れ防止のような膜物性改良の目的で使用される。ポリマー微粒子分散物については、特開昭６２−２４５２５８号、同６２−１３１６６４８号、同６２−１１００６６号の各公報に記載がある。ガラス転移温度が低い（４０℃以下の）ポリマー微粒子分散物を媒染剤を含む層に添加すると、層のひび割れやカールを防止することができる。また、ガラス転移温度が高いポリマー微粒子分散物をバック層に添加しても、カールを防止できる。
本発明のインクに適用されるインクジェットの記録方式に制限はなく、公知の方式例えば静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット（バブルジェット（登録商標））方式等に用いられる。
インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０２０８】
［実施例］
以下、本発明を実施例に基づいて具体的に説明するが、本発明はこれらの実施例に何ら限定されるものではない。
なお、インクＬＭ−１１０、１１１、１１７及び１１８、インクＭ−１１０、１１１、１１７及び１１８、並びに、インクセット１１０、１１１、１１７、１１８、２０６及び２０７は、参考例である。
【実施例１】
【０２０９】
マゼンタ染料［Ｍ−１］１７．５ｇに超純水（比抵抗値１８ＭΩ以上）１５０ｃｃを加え、超音波洗浄器（ＢＲＡＮＳＯＮ製２５１０Ｊ−ＤＴＨ型、４２ｋＨｚ、１２５Ｗ）を用いて音波振動を加えながら染料を１０分撹拌溶解した。この染料溶液に下記の成分を加え、さらに脱イオン水を加えて１リッターとした後、３０〜４０℃で加熱しながら１時間撹拌混合した。その後、平均孔径０．２５μｍのミクロフィルターで減圧濾過しライトマゼンタ用インク液（ＬＭ−１０１）を調製した。
【０２１０】
グリセリン（ＧＲ）                                    １０２ｇ／ｌ
トリエチレングリコール（ＴＥＧ）                        １９ｇ／ｌ
トリエチレングリコールモノブチルエーテル（ＴＧＢ）    １０４ｇ／ｌ
１，２−ヘキサンジオール                                １２ｇ／ｌ
２−ピロリドン                                          １１ｇ／ｌ
トリエタノールアミン（ＴＥＡ）                        ２．０ｇ／ｌ
ベンゾトリアゾール                                  ０．０８ｇ／ｌ
1,2-ベンゾイソチアゾリン−３−オン（PROXEL XL2）      １．０ｇ／ｌ
【０２１１】
マゼンタ染料［Ｍ−１］６８．０ｇに超純水（比抵抗値１８ＭΩ以上）５００ｃｃを加え、上記超音波洗浄器を用いて音波振動を加えながら染料を１０分撹拌溶解した。この染料溶液に下記の成分を加え、さらに脱イオン水を加えて１リッターとした後、３０〜４０℃で加熱しながら１時間撹拌混合した。その後、平均孔径０．２５μｍのミクロフィルターで減圧濾過しマゼンタ用インク液（Ｍ−１０１）を調製した。
【０２１２】
グリセリン（ＧＲ）                                      １２０ｇ／ｌ
トリエチレングリコール（ＴＥＧ）                        １０１ｇ／ｌ
トリエチレングリコールモノブチルエーテル（ＴＧＢ）      １１３ｇ／ｌ
２−ピロリドン                                            ３３ｇ／ｌ
トリエタノールアミン（ＴＥＡ）                          ２．０ｇ／ｌ
ベンゾトリアゾール                                    ０．０８ｇ／ｌ
1,2-ベンゾイソチアゾリン−３−オン（PROXEL XL2）        １．０ｇ／ｌ
ＬＭ-１０１とＭ-１０１に対して、表３に示すように染料種を変更もしくは界面活性剤を加えた以外は全く同じ組成のインクＬＭ-１０２〜１２２、Ｍ−１０２〜１２２をそれ
ぞれ作製した。
【０２１３】
【表３】
0005144895.tif 000054
【０２１４】
【化４３】
0005144895.tif 000055
【０２１５】
【化４４】
0005144895.tif 000056
【０２１６】
【化４５】
0005144895.tif 000057
【０２１７】
【化４６】
0005144895.tif 000058
【０２１８】
【化４７】
0005144895.tif 000059
【０２１９】
【化４８】
0005144895.tif 000060
【０２２０】
これらのインクの粘度は、振動式ＶＭ−１００Ａ−Ｌ型（山一電機）にて測定した。また、静的表面張力については、自動表面張力計ＣＢＶＰ−Ａ３型（協和界面科学株式会社）にて測定した。２５℃で測定したＬＭ-１０１〜１２２、Ｍ−１０１〜１２２の粘度と表面張力を表４に示す。
【０２２１】
【表４】
0005144895.tif 000061
【０２２２】
次に、ＬＭ１０１〜ＬＭ１２２とＭ１０１〜Ｍ１２２のそれぞれ対応するインク同士を組み合わせてインクセット１０１〜１２２を作製し、これらのインクセット１０１〜１２２をインクジェットプリンターＰＭ−Ｇ８００（ＥＰＳＯＮ社製）のライトマゼンタ及びマゼンタインクカートリッジに詰めた。このとき、染料の溶解からインク装填を行うまでの工程につてクリーンベンチを用いてクリーン度１０００以下のスペースで行った。
作製したインクカートリッジをＰＭ−Ｇ８００プリンタに装填して富士写真フイルム（株）製インクジェットペーパー「画彩」光沢仕上げにライトマゼンタ及びマゼンタインクのみで画像を印刷し以下の評価を行った。
【０２２３】
１）吐出安定性については、カートリッジをプリンターにセットし、全ノズルからのインクの吐出状態を確認した後、Ａ４紙２０枚出力し、以下の基準で評価した。
Ａ：印刷開始から終了まで印字の乱れ無し
Ｂ：印字の乱れのある出力が発生する
Ｃ：印刷開始から終了まで印字の乱れあり
２）細線の滲みについては、マゼンタの細線パターンを印字し目視にて評価を行った。
Ａ：滲みは観測されない
Ｂ：多少滲みが観測されるが判読可能
Ｃ：滲みにより判読不可能
３）耐水性については、得られた画像を１０秒間脱イオン水に浸漬した後、画像の滲みを評価した。
４）画像保存性については、マゼンタのベタ画像印字試料を作成し、以下の評価を行った。
(a)光堅牢性は印字直後の画像濃度（Ｃｉと表記）を反射濃度計（Ｘ−Ｒｉｔｅ３１０ＴＲ）にて
測定した後、アトラス社製ウェザーメーターを用い画像にキセノン光（８万５千ルックス）を１０日照射した後、再び画像濃度（Ｃｆと表記）を測定し染料残存率（１００×Ｃｆ／Ｃｉ）を求め評価を行った。染料残像率について反射濃度が１、１．５及び２の３点にて評価し、いずれの濃度でも染料残存率が７０％以上の場合をＡ、２点が７０％未満の場合をＢ、全ての濃度で７０％未満の場合をＣとした。
(b)オゾン（Ｏ３）耐性については、前記画像を形成したフォト光沢紙を、オゾンガス濃度が５．０ｐｐｍに設定されたボックス内に７日間放置し、オゾンガス下放置前後の画像濃度を反射濃度計（Ｘ−Ｒｉｔｅ３１０ＴＲ）を用いて測定し、色素残存率として評価した。尚、前記反射濃度は、１、１．５及び２．０の３点で測定した。ボックス内のオゾンガス濃度は、ＡＰＰＬＩＣＳ製オゾンガスモニター（モデル：ＯＺＧ−ＥＭ−０１）を用いて設定した。
何れの濃度でも色素残存率が８０％以上の場合をＡ、１又は２点が８０％未満をＢ、全ての濃度で７０％未満の場合をＣとして、三段階で評価した。
得られた結果を表５に示す。
【０２２４】
【表５】
0005144895.tif 000062
【０２２５】
表５より本発明の染料と界面活性剤を使用したインクセット（１１０〜１２２）では、吐出安定性、耐水性に優れ、細線の滲みもない画像が得られる、また耐候性（光堅牢性、耐オゾン性）が特に優れることが分かる。
また、本発明において使用する受像紙をＥＰＳＯＮ社製写真用紙、キャノン社製ＰＲ１０１に変更した場合でも上記結果と同様の効果が見られる。
【実施例２】
【０２２６】
実施例１で作製した同じインクセットを、インクジェットプリンターＰｉｘｕｓ８６００ｉ（ＣＡＮＯＮ社製）のカートリッジに詰め、同機にて画像を富士写真フイルム（株）製インクジェットペーパー「画彩」写真仕上げにプリントし、実施例１と同様な評価を行ったところ、実施例１と同様な結果が得られた。また受像紙がＥＰＳＯＮ社製  写真用紙、キャノン社製ＰＲ１０１、ヒューレットパッカード社製フォト用紙（プレミアムプラス（（光沢））の場合でも同様の効果が見られた。
【実施例３】
【０２２７】
〔各インク組成物の調製〕
以下の表６、表７及び表８に示した組成に基いて各成分を混合し、常温において３０分間攪拌した後、得られた溶液を目開き１．０μｍのメンブランフィルターを用いて濾過することにより各インク組成物を得た。なお表６、表７及び表８において、各成分の数値はインク組成物の質量を１００％とした場合の各成分の質量％を示し、さらに水の量を示す「残」は、水以外の成分とあわせて合計１００％になる量を示す。
【０２２８】
【表６】
0005144895.tif 000063
【０２２９】
【表７】
0005144895.tif 000064
【０２３０】
【表８】
0005144895.tif 000065
【０２３１】
（ＹＥＬＬＯＷ−１）：
【０２３２】
【化４９】
0005144895.tif 000066
【０２３３】
（ＹＥＬＬＯＷ−２）：
【０２３４】
【化５０】
0005144895.tif 000067
【０２３５】
（ＹＥＬＬＯＷ−３）：
【０２３６】
【化５１】
0005144895.tif 000068
【０２３７】
（ＹＥＬＬＯＷ−１）〜（ＹＥＬＬＯＷ−３）は欧州公開公報EP１６１９２２４号の段落番号［００９０］〜［００９４］に記載の合成方法で合成することができる。
（ＹＥＬＬＯＷ−４）：
【０２３８】
【化５２】
0005144895.tif 000069
【０２３９】
（ＹＥＬＬＯＷ−５）：Ｃ．Ｉ．ダイレクトイエロ−１３２
（ＹＥＬＬＯＷ−６）：Ｃ．Ｉ．ダイレクトイエロ−８６
（ＹＥＬＬＯＷ−７）：Ｃ．Ｉ．ダイレクトイエロ−５８
【０２４０】
表６及び表７において、シアン染料としては、下記（ＣＹＡＮ−１）、（ＣＹＡＮ−２）、（ＣＹＡＮ−３）、（ＣＹＡＮ−４）及び（ＣＹＡＮ−１）で表される化合物を用いた。（ＣＹＡＮ−１）〜（ＣＹＡＮ−４）において化学式中の環A〜Dの構造の構成を化学式と共に示したが、（ＣＹＡＮ−４）は、環A〜Dが化学式に伴わせて示したａ，ｂ，ｃ構造の異なる構成である化合物I,II,IIIの混合体である。
【０２４１】
（ＣＹＡＮ−１）：
【０２４２】
【化５３】
0005144895.tif 000070
【０２４３】
（ＣＹＡＮ−２）：
【０２４４】
【化５４】
0005144895.tif 000071
【０２４５】
（ＣＹＡＮ−３）：
【０２４６】
【化５５】
0005144895.tif 000072
【０２４７】
（ＣＹＡＮ−４）：
【０２４８】
【化５６】
0005144895.tif 000073
【０２４９】
（ＣＹＡＮ−５）；Ｃ．Ｉ．ダイレクトブルー１９９を用いた。
（Ｂｌａｃｋ−１）
【０２５０】
【化５７】
0005144895.tif 000074
【０２５１】
（Ｂｌａｃｋ−２）
【０２５２】
【化５８】
0005144895.tif 000075
【０２５３】
（Ｂｌａｃｋ−３）
【０２５４】
【化５９】
0005144895.tif 000076
【０２５５】
（Ｂｌａｃｋ−４）
【０２５６】
【化６０】
0005144895.tif 000077
【０２５７】
（Ｂｌａｃｋ−５）
【０２５８】
【化６１】
0005144895.tif 000078
【０２５９】
（Ｂｌａｃｋ―６）
【０２６０】
【化６２】
0005144895.tif 000079
【０２６１】
次に調製した各インク組成物を用いて表９に示す組み合わせでインクセット２０１〜２１０の各インクセットを作成した。
【０２６２】
【表９】
0005144895.tif 000080
【０２６３】
これらのインクをセイコーエプソン株式会社製インクジェットプリンタ  ＰＭＧ８２０の各々対応するインクカートリッジに充填した。インクセット６ではマゼンタ、ライトマゼンタインク以外はＰＭＧ８２０用の純正インクをそのまま使用し、インクセット７ではキャノン株式会社製のインクであるＢＣＩ−７の各色のインクを抜き取り、各々対応するＰＭＧ８２０用インクカートリッジに充填した。これらのインクカートリッジをＰＭＧ８２０に装填し、印画を行い、下記の評価を行った。
【０２６４】
１）細線の滲みについては、Ｄvis＝１．０のグレーベタ画像の背景にマゼンタの細線
パターンを印字し、目視にて評価を行った。（Ｄvisは、ISO5準拠の視覚濃度を意味する）。
Ａ：滲みは観測されない
Ｂ：多少滲みが観測されるが判読可能
Ｃ：滲みにより判読不可能
２）画像保存性については、グレーベタ画像印字試料を作成し、以下の評価を行った。
(a)光堅牢性は印字直後の画像濃度Ｃｉ（ＤＧ）を反射濃度計（Ｘ−Ｒｉｔｅ３１０Ｔ
Ｒ）にて測定した後、アトラス社製ウェザーメーターを用い画像にキセノン光（８万５千ルックス）を１０日照射した後、再び画像濃度Ｃｆ（ＤＧ）を測定しグレー画像中でのマゼンタ染料の残存率（１００×Ｃｆ／Ｃｉ）を求め評価を行った。染料残像率について反射濃度が１、１．５及び２の３点にて評価し、いずれの濃度でも染料残存率が７０％以上の場合をＡ、２点が７０％未満の場合をＢ、全ての濃度で７０％未満の場合をＣとした。
(b)オゾン（Ｏ３）耐性については、前記画像を形成したフォト光沢紙を、オゾンガス濃度が５．０ｐｐｍに設定されたボックス内に７日間放置し、オゾンガス下放置前後の画像濃度を反射濃度計（Ｘ−Ｒｉｔｅ３１０ＴＲ）を用いて測定し、光堅牢性と同様に色素残存率として評価した。尚、前記反射濃度は、１、１．５及び２．０の３点で測定した。ボックス内のオゾンガス濃度は、ＡＰＰＬＩＣＳ製オゾンガスモニター（モデル：ＯＺＧ−ＥＭ−０１）を用いて設定した。
何れの濃度でも色素残存率が８０％以上の場合をＡ、１又は２点が８０％未満をＢ、全ての濃度で７０％未満の場合をＣとして、三段階で評価した。
得られた結果を下記表１０に示す。
【０２６５】
【表１０】
0005144895.tif 000081
【０２６６】
表１０の結果より本発明のインクセットでは、フルカラー印画においても実施例１の結果と同様に細線の滲みがなく、耐候性（光、耐オゾン性）が優れることが分かる。
【０２６７】
表９でＭ１２０、ＬＭ１２０の代わりに、実施例１で作製した本発明のインクとしたこと以外は同様の試験を行ったところ、表１０と同様の結果がえられた。
また、本発明において使用する受像紙をＥＰＳＯＮ社製写真用紙、キャノン社製  ＰＲ１０１に変更した場合でも上記結果と同様の効果が見られる。
【実施例４】
【０２６８】
実施例３で作製した同じインクを、インクジェットプリンターＰｉｘｕｓ８６００ｉ（ＣＡＮＯＮ社製）のカートリッジに詰め、同機にて画像を富士写真フイルム（株）製インクジェットペーパー「画彩」写真仕上げ  にプリントし、実施例３と同様な評価を行ったところ、実施例３と同様な結果が得られた。また受像紙がＥＰＳＯＮ社製  写真用紙、キャノン社製  ＰＲ１０１、ヒューレットパッカード社製プレミアムプラス  フォト用紙（光沢）の場合でも同様の効果が見られた。